(57)【特許請求の範囲】
【請求項１】
スイッチと、該スイッチが収納される収容部が設けられたスペーサと、前記スイッチを押圧する操作ボタンとを備えていて、前記スペーサに、前記操作ボタンの押付を停止させるストッパ部が形成され、装填されている用紙を切取るカッタと、前記スイッチが装着される基板と、該基板が固定されるケースとが備えられ、前記カッタに、前記操作ボタンと押接される弾性部が設けられ、前記操作ボタンと、前記カッタと、前記スペーサと、前記基板とが、前記ケースに組付けられることで、前記カッタの前記弾性部が、前記ケースの内側から外側に向けて、前記操作ボタンを弾性復帰可能に押圧することを特徴とするスイッチの取付構造。
【請求項２】
前記ストッパ部は、前記スペーサの前面から前記操作ボタンの後面に向けて、前記スペーサの前記前面に突部として形成されたことを特徴とする請求項１記載のスイッチの取付構造。
【請求項３】
一つの前記操作ボタンに対応して、前記スペーサに、一対の前記ストッパ部が形成されたことを特徴とする請求項１又は２記載のスイッチの取付構造。
【請求項４】
複数の前記操作ボタンの並び方向に沿って、複数の前記ストッパ部が前記スペーサに並設されたことを特徴とする請求項１〜３の何れか１項に記載のスイッチの取付構造。
【請求項５】
前記操作ボタンはケースに取付けられ、前記操作ボタンの後側に位置し且つ前記ケース内に固定される基板に前記スイッチが取付けられ、前記ケースに対する前記操作ボタンの取付位置に対応して、前記基板の前側に前記スイッチが装着されたことを特徴とする請求項１〜４の何れか１項に記載のスイッチの取付構造。
【請求項６】
前記スペーサは白色とされて、該スペーサは前記操作ボタンに光を当てて明るくさせる照明を取囲む反射材を兼ねたことを特徴とする請求項１〜５の何れか１項に記載のスイッチの取付構造。
【請求項７】
タクシーメータ用プリンタに適用されたことを特徴とする請求項１〜６の何れか１項に記載のスイッチの取付構造。
【発明の詳細な説明】
【０００１】
【発明の属する技術分野】
本発明は、例えば、タクシーメータと共に使用されるプリンタに適用されるものであり、プリンタなどに備えられた操作ボタンに、過大な押付力が加えられても、タクトスイッチなどのスイッチが破損されることを防止するスイッチの取付構造に関するものである。
【０００２】
【従来の技術】
図９〜図１１は、従来のスイッチの取付構造に関する一形態を示すものである。図１２および図１３に示されたプリンタ５０１は、領収書に日付と料金を印刷するタクシーメータ用プリンタ５０１いわゆるタクシープリンタ５０１として使用されているものである。このプリンタ５０１は、プリンタ本体５０２と、このプリンタ本体５０２に組付けられるカバー５２０とを備えるものである。図１２および図１４に示されたロール紙Ｒ５０１は、プリンタ５０１に備えられたカッタ５７０（図１１，図１２(b) ）が用いられて切取られ、切取られた紙片は、領収書として用いられるものである。
【０００３】
図１２および図１３の如く、プリンタ本体５０２は、表側ケース５１４と、内側ケース５１６と、裏側ケース５１８とから構成されるケース５１０と、このケース５１０内にロール紙Ｒ５０１（図１２，図１４）が装填されるための開口５０３（図１３）と、この開口５０３から入れられたロール紙Ｒ５０１が装着されるロール紙収容部５０４と、ロール軸５３３いわゆる心棒５３３（図１２）が用いられてロール紙Ｒ５０１を支持する保持部５３０と、ロール紙Ｒ５０１が使い切られてロール紙Ｒ５０１が無くなったことを検知する光センサ５４０と、ロール紙Ｒ５０１に印字を行う印刷部５０５と、ロール紙Ｒ５０１を切取るカッタ５７０が設けられた用紙取出部５０６（図１１，図１２(b) ）と、操作ボタンが押されることでプリンタ５０１に各指示が与えられてプリンタ５０１が動作されるための操作部５８０（図９〜図１３）と、プリンタ５０１の各動作制御が行われるための各種電子部品（図示せず）が取付けられ、且つ、各種電子部品間を通電可能に接続する多くの回路導体（図示せず）が配設されたプリント基板いわゆるメイン基板６５０（図１１）などを備えるものである。
【０００４】
また、図１２(a) の如く、心棒５３３の両端に設けられた溝にゴム製Ｏリング５３５が嵌め込まれている。心棒５３３に備えられた一対のゴム製Ｏリング５３５の「つぶし代」が押し潰され、これによりゴム製Ｏリング５３５に緊迫力が発現された状態で、プリンタ本体５０２に内装された内側ケース５１６の保持部５３０に、ゴム製Ｏリング５３５を備える心棒５３３の端部が組込まれる。このようにして、ロール紙Ｒ５０１を支持する心棒５３３は、プリンタ本体５０２に組付けられる。
【０００５】
また、図１２(b) および図１３(b) の如く、プリンタ本体５０２に設けられた印刷部５０５は、印字ヘッド５６０と、この印字ヘッド５６０に印刷用紙を押付けるローラ５５０とを備えるものである。図１２(b) および図１３(b) に示されるローラ５５０と、印字ヘッド５６０とは、図１１の如く、プリンタ本体５０２に内装されたプリンタユニット５０７に装備されたものである。
【０００６】
プリンタユニット５０７は、板金製のフレーム６６０に、前記ローラ５５０と、前記印字ヘッド５６０と、前記ローラを駆動させる小型モータ６９０と、カバー５２０の開閉時に伴って軸部６６５ａを中心に回動されるレバー６６５と、このレバー６６５の回動に伴って支軸６７８を中心に回動されるリンクレバー６８０と、このリンクレバー６８０の回動に伴って作動するスイッチ６８１とが備えられたものである。フレームとは、運動する機械を保持する固定部分や、骨組、台枠を意味する。
【０００７】
また、プリンタ本体５０２の操作部５８０に、発行ボタン５８１などの各押しボタンが備えられている。図９〜図１１の如く、プリンタ本体５０２に備えられた操作部５８０の内側に、プリンタ５０１に各動作指示を与えるタクトスイッチ６１０が備えられた基板６００いわゆるスイッチ基板６００が装着されている。
【０００８】
前記タクトスイッチ６１０の他に、このスイッチ基板６００は、前記発行ボタン５８１などの各押しボタンに、光を当てて明るくさせるイルミネーションランプ６２０を備えるものである。イルミネーションとは、多数の電灯をつけて飾ることを意味する。
【０００９】
スイッチ基板６００は、前記タクトスイッチ６１０や、前記イルミネーションランプ６２０などを通電可能に接続する多くの回路導体（図示せず）が配設されたプリント基板である。前記回路導体は、静電気を逃すためのグランドライン（図示せず）を含むものである。
【００１０】
表側ケース５１４に、発行ボタン５８１などの各押しボタンと、前記各押しボタンとスイッチ基板６００との間に装着される各スプリングいわゆる「ばね部材」５７８と、カッタ５７０とが、スイッチ基板６００と共に組付けられることで、操作部５８０が構成されている。
【００１１】
そして、金属製のカッタ５７０と、スイッチ基板６００に設けられた前記グランドライン（図示せず）との間に、リード線６０９ａが用いられて、「はんだ付け」が行われることで、前記金属製カッタ５７０と、前記スイッチ基板６００のグランドライン（図示せず）との間は、通電可能に接続される。
【００１２】
また、プリンタユニット５０７を構成する金属製フレーム６６０と、スイッチ基板６００に設けられた前記グランドライン（図示せず）との間に、リード線６０９ｂが用いられて、「はんだ付け」が行われることで、前記プリンタユニット５０７を構成する金属製フレーム６６０と、前記スイッチ基板６００のグランドライン（図示せず）との間は、通電可能に接続される。
【００１３】
図１３(b) の如く、カバー５２０を形成する本体５２４は、前壁５２４ｂと、この前壁５２４ｂの両側に形成された一対の側壁５２４ａ（図１２(a) ）とを備えるものである。カバー５２０の前壁５２４ｂに、ロール紙Ｒ５０１の本体Ｒ５０２（図１２）に対応して、略湾曲状をした円弧部５２４ｃが形成されている。
【００１４】
前壁５２４ｂの円弧部５２４ｃと、この円弧部５２４ｃ周辺に設けられた一対の側壁５２４ａとによって囲まれた空間が、カバー５２０側のロール紙収容部５２５とされる。また、カバー５２０を形成する本体５２４の側壁５２４ａから、一対のアーム５２３が延長形成されており、このアーム５２３の先端に円柱状をした支軸５２１が突設されている。アームとは、腕を意味するものである。
【００１５】
図１３の如く、内側ケース５１６を形成する一対の側壁５１６ａの円筒状軸孔５１１に、カバー５２０に突設された一対のアーム５２３の円柱状支軸５２１が嵌め込まれて、一対のアーム５２３を備えるカバー５２０が、プリンタ本体５０２に内装された内側ケース５１６に組付けられる。その際に、カバー５２０に突設された一対のアーム５２３は、互いに内側に向けて大きく撓まされることとなる。
【００１６】
また、図１４に示されるロール紙Ｒ５０１の本体Ｒ５０２の中空孔Ｒ５０３に、図１２(a) に示されるロール軸５３３などの心棒５３３が挿通され、ロール紙Ｒ５０１の本体Ｒ５０２が、図１３に示されるプリンタ本体５０２の開口５０３から、ロール紙収容部５０４内へ装着されて、プリンタ本体５０２にロール紙Ｒ５０１が取付けられる。
【００１７】
図１４の如く、このロール紙Ｒ５０１は、長尺状をした一枚の用紙の外側面Ｒ５０４に、この長尺状をした用紙の内側面Ｒ５０５が重ねられるようにして、前記用紙が連続して円筒状に巻かれることで、ロール紙Ｒ５０１の本体Ｒ５０２が形成されたものである。このようにして、ロール紙Ｒ５０１の本体Ｒ５０２は、中空孔Ｒ５０３を備える円筒物として形成されている。また、このロール紙Ｒ５０１は、印字用の薬品面が外側面Ｒ５０４となるように形成されたものである。
【００１８】
前記ロール紙Ｒ５０１が、プリンタ５０１に取付けられて、印刷可能な状態にセットされるまでの過程について説明する。図１２の如く、ロール紙Ｒ５０１は、これの本体Ｒ５０２が心棒５３３によって内側ケース５１６に取付けられた後に、図１２(b) において、ロール紙Ｒ５０１の本体Ｒ５０２は、時計の針の回転方向と同じ方向すなわち時計方向に回動されて、内側ケース５１６の基壁５１６ｂ側に向けてロール紙Ｒ５０１の先端Ｒ５０６（図１４）が引出される。
【００１９】
次に、図１２(b) の如く、ロール紙Ｒ５０１の外側面Ｒ５０４が、内側ケース５１６に設けられた突出段部５１６ｃ上に摺接されつつ、ロール紙Ｒ５０１は、光センサ５４０が遮光されるように光センサ５４０の前側に通される。そして、ロール紙Ｒ５０１の内側面Ｒ５０５がローラ５５０の外周面５５０ａに当接されると共に、ロール紙Ｒ５０１の外側面Ｒ５０４が印字ヘッド５６０に当接されて、ロール紙Ｒ５０１は印刷部５０５を通過することとなる。
【００２０】
このようにして、ロール紙Ｒ５０１の先端Ｒ５０６は、印字ヘッド５６０と、ローラ５５０との間に挟まれつつ、カバー５２０を形成する前壁５２４ｂの傾斜部５２４ｆに沿って移動されて、ロール紙Ｒ５０１は、プリンタ５０１の用紙取出口５０６からプリンタ５０１の外部へと送出される。
【００２１】
その後、ロール紙Ｒ５０１が取付けられたプリンタ本体５０２に対し、支軸５２１を中心にカバー５２０が下側に向けて回動されてカバー５２０が閉じられることで、図１２の如く、ロール紙Ｒ５０１は、印刷可能な状態でプリンタ５０１へセットされる。
【００２２】
図１２(b) に示されるプリンタ５０１の縦断面図において、印刷部５０５を構成するローラ５５０は、ロール紙Ｒ５０１を介して印字ヘッド５６０を押圧しつつ時計方向に回転され、これにより、ローラ５５０と、印字ヘッド５６０とに挟持された長尺状のロール紙Ｒ５０１は、プリンタ５０１の用紙取出口５０６へ向けて送られることとなる。
【００２３】
そして、これに伴って、長尺状の用紙が連続して円筒状に巻かれることで形成されたロール紙Ｒ５０１の本体Ｒ５０２も、時計方向に回転されることとなる。すなわち、ローラ５５０の回転方向と、ロール紙Ｒ５０１の本体Ｒ５０２の回転方向とは、同一の方向で回転されることとなる。
【００２４】
プリンタ５０１にセットされたロール紙Ｒ５０１に印刷が行われる状態について、図９〜図１２と共に説明する。
図９および図１１に示されるプリンタ本体５０２に対して、図１０の如く、領収書の発行ボタン５８１が押される。その際に、領収書の発行ボタン５８１は、この発行ボタン５８１のガタつきを抑制するボス５８１ｘを略支点として、発行ボタン５８１と、スイッチ基板６００との間に押圧されつつ装着された「ばね部材」５７８の復元弾性力に抗して、プリンタ本体５０２の内側に向けて押圧される。
【００２５】
これと共に、発行ボタン５８１のフランジ５８１ｆによって、この発行ボタン５８１の裏側に当接または僅かな隙間がもたされて配設されたタクトスイッチ６１０の可動部６１８（図９，図１１）が、図１０の如く、このタクトスイッチ６１０を構成する本体６１５の内部に向けて押圧される。これにより、タクトスイッチ６１０内において、電気的な接触が行われ、タクトスイッチ６１０から電気信号が送られると共に、各電気回路において信号が処理される。その後、プリンタ５０１に内装された小型モータ６９０（図１１）が駆動されて、図１１および図１２(b) に示されるローラ５５０が回転される。
【００２６】
印刷部５０５を構成するローラ５５０によって、ロール紙Ｒ５０１は印字ヘッド５６０に向けて押圧され、ローラ５５０が回転されつつ印字ヘッド５６０によってロール紙Ｒ５０１の外側面Ｒ５０４に印刷が行われると共に、ローラ５５０の回転により、ロール紙Ｒ５０１は、プリンタ５０１の用紙取出口５０６からプリンタ５０１の外部へと送出される。
【００２７】
そして、プリンタ５０１の用紙取出口５０６からプリンタ５０１の外部へと送出された長尺状のロール紙Ｒ５０１は、図１１の如く、カッタ５７０の刃５７１に当接されて切取られることにより、紙片すなわち領収書とされる。このようにして、タクシープリンタ５０１から領収書が発行される。
【００２８】
【発明が解決しようとする課題】
しかしながら、上記従来のスイッチの取付構造、又は、これを備えるタクシープリンタ５０１にあっては、図９および図１１に示される発行ボタン５８１などの操作ボタンが押されて、プリンタ５０１（図１１，図１２(b) ）から、運賃などが印刷された領収書を発行させるなどといった動作指示が、プリンタ５０１に与えられた際に、発行ボタン５８１（図１０）などの操作ボタンに過大な押付力Ｆが加えられて、操作ボタンが押圧された場合、そのような過大な押付力Ｆが、発行ボタン５８１などの操作ボタンのフランジ５８１ｆに伝えられると共に、タクトスイッチ６１０を構成する可動部６１８を介して、タクトスイッチ６１０の本体６１５に伝えられ、このことから、タクトスイッチ６１０に過大な力が加えられて、タクトスイッチ６１０が破損されてしまうということが懸念されていた。
【００２９】
詳しく説明すると、プリンタ本体５０２内に備えられたタクトスイッチ６１０は、このタクトスイッチ６１０の本体６１５に対する可動部６１８の押付力が、0.3 Ｎ以下の押付力にまで耐えうるものである。このような仕様のタクトスイッチ６１０に対し、不用意に発行ボタン５８１などの操作ボタンに過大な押付力Ｆが加えられて、例えば、１Ｎといった過大な押付力が前記タクトスイッチ６１０に加えられた場合、当然の如く、タクトスイッチ６１０は、破損されてしまうこととなる。
【００３０】
本発明は、上記した点に鑑み、プリンタなどに備えられた操作ボタンに、過大な押付力が加えられても、タクトスイッチなどのスイッチが破損されることを防止するスイッチの取付構造を提供することを目的とする。
【００３１】
【課題を解決するための手段】
上記目的を達成するために、本発明の請求項１に係るスイッチの取付構造は、スイッチと、該スイッチが収納される収容部が設けられたスペーサと、前記スイッチを押圧する操作ボタンとを備えていて、前記スペーサに、前記操作ボタンの押付を停止させるストッパ部が形成され、装填されている用紙を切取るカッタと、前記スイッチが装着される基板と、該基板が固定されるケースとが備えられ、前記カッタに、前記操作ボタンと押接される弾性部が設けられ、前記操作ボタンと、前記カッタと、前記スペーサと、前記基板とが、前記ケースに組付けられることで、前記カッタの前記弾性部が、前記ケースの内側から外側に向けて、前記操作ボタンを弾性復帰可能に押圧することを特徴とする。
上記構成により、操作ボタンに過大な押付力が加えられた場合であっても、スイッチが収納される収容部が設けられたスペーサに、操作ボタンの押付を停止させるストッパ部が形成されてあるから、ストッパ部によって、スイッチに加えられる押付力は制限されることとなる。従って、スペーサの収容部に収納されたスイッチは、操作ボタンに加えられる過大な押付力から守られることとなり、これにより、操作ボタンに加えられる過大な押付力によって、スイッチが破損されてしまうといった不具合の発生は、未然に防止されることとなる。
また、操作ボタンは、ガタつきなどが抑えられつつ、弾性復帰可能な状態で、ケースに組付けられることとなる。即ち、操作ボタンと、カッタと、スペーサと、基板とが、ケースに組付けられ、基板がケースに固定されることで、操作ボタンにカッタの弾性部が押接され、これにより、操作ボタンは、ケースの内側から外側に向けて弾性復帰可能な状態で、ケースに組付けられることとなる。従って、ケースに対して、操作ボタンが押される際の操作フィーリングは、良好なものとなる。
【００３２】
請求項２に係るスイッチの取付構造は、請求項１に係るスイッチの取付構造において、前記ストッパ部は、前記スペーサの前面から前記操作ボタンの後面に向けて、該スペーサの該前面に突部として形成されたことを特徴とする。
上記構成により、操作ボタンの押付を停止させるストッパ部が、突部としてスペーサの前面に形成されてあるから、必要以上にスペーサが大型化されるということはなく、突部が設けられたスペーサの大きさは、突部が設けられていないスペーサの大きさと、略同じ大きさのものとされる。従って、スペーサにストッパ部が形成されることで、大幅な設計変更が必要とされるといったことは回避され、操作ボタンの押付を停止させる突部を、容易にスペーサに形成させることが可能となる。
【００３３】
請求項３に係るスイッチの取付構造は、請求項１又は２に係るスイッチの取付構造において、一つの前記操作ボタンに対応して、前記スペーサに、一対の前記ストッパ部が形成されたことを特徴とする。
上記構成により、一つの操作ボタンが押圧された際に、この一つの操作ボタンは、これに対応してスペーサに形成された一対のストッパ部と当接されることとなる。従って、操作ボタンが、ぐらつくなどといった不安定な状態で、スペーサのストッパ部に当接されて、操作ボタンの押付が停止されるといったことは回避され、操作ボタンの押付は、安定した状態で停止されることとなる。
【００３４】
請求項４に係るスイッチの取付構造は、請求項１〜３の何れか１項に係るスイッチの取付構造において、複数の前記操作ボタンの並び方向に沿って、複数の前記ストッパ部が前記スペーサに並設されたことを特徴とする。
上記構成により、スペーサに形成された操作ボタンの押付を停止させるストッパ部は、操作ボタンの押付に対して好ましい停止位置に並設されてあるから、複数の操作ボタンのうち、何れの操作ボタンが押圧されても、操作ボタンの停止位置がバラつくということはない。従って、複数の操作ボタンのうち、何れの操作ボタンが押圧されても、操作ボタンは何れも略均一な状態で停止されることとなる。
【００３５】
請求項５に係るスイッチの取付構造は、請求項１〜４の何れか１項に係るスイッチの取付構造において、前記操作ボタンはケースに取付けられ、該操作ボタンの後側に位置し且つ該ケース内に固定される基板に前記スイッチが取付けられ、該ケースに対する該操作ボタンの取付位置に対応して、該基板の前側に該スイッチが装着されたことを特徴とする。
上記構成により、ケースに対する操作ボタンの取付位置に対応して、ケース内にスイッチが位置することとなる。従って、ケースに対して操作ボタンが押圧されると、この操作ボタンの押付に伴って、スイッチも確実に押圧されることとなる。また、ケースに取付けられた操作ボタンの後側であって、且つ、ケース内に基板が固定されると、基板の前側に装着されたスイッチと、ケースに取付けられた操作ボタンとの位置関係が、略一致することとなる。従って、操作ボタンに対するスイッチの位置決めは、容易で迅速に行われることとなる。
【００３６】
請求項６に係るスイッチの取付構造は、請求項１〜５の何れか１項に係るスイッチの取付構造において、前記スペーサは白色とされて、該スペーサは前記操作ボタンに光を当てて明るくさせる照明を取囲む反射材を兼ねたことを特徴とする。
上記構成により、照明から発せられる光は、照明を取囲む白色をしたスペーサによって反射され易くなり、照明から発せられる光と、照明を取囲む白色をしたスペーサによって反射された光とが、操作ボタンに当てられることによって、操作ボタンは、より明るく照らし出されることとなる。
【００３８】
請求項７に係るスイッチの取付構造は、請求項１〜６の何れか１項に係るスイッチの取付構造において、タクシーメータ用プリンタに適用されたことを特徴とする。
上記構成により、力の強いタクシーの運転手によって、不用意に過大な押付力が操作ボタンに加えられ、そのような過大な押付力がスイッチに加えられようとされることがあっても、スイッチの破損は未然に防止されることとなる。
【００３９】
【発明の実施の形態】
以下に本発明に係るスイッチの取付構造の一実施形態について図面に基づいて詳細に説明する。
図１は、本発明に係るスイッチの取付構造の一実施形態を示す縦断面図、図２は、同じくスイッチが押された状態を示す縦断面図、図３は、プリンタ本体に設けられた操作部とプリンタユニットとを示す縦断面図、図４は、スイッチの取付構造を示す分解斜視図である。
【００４０】
図５は、プリンタ本体にロール紙が取付けられ、プリンタ本体に対しカバーが閉められた状態を示す断面図であり、(a) は (b)のＡ−Ａ断面図、(b) はプリンタ本体とカバーとロール紙とを示す縦断面図である。図６は、プリンタ本体にカバーが組付けられ、プリンタ本体に対しカバーが開けられた状態を示す断面図であり、(a) は (b)のＢ−Ｂ断面図、(b) はプリンタ本体とカバーとを示す縦断面図である。
【００４１】
各断面図は、プリンタ本体内の要部を示すものである。また、図７は、ロール紙を示す斜視図、図８は、自動車のインストルメントパネルにプリンタが取付けられた状態を示す説明図である。
【００４２】
次に、スイッチの取付構造、又は、これを備えるプリンタの各方向について説明する。図５，図６，図８の如く、プリンタ本体２に開閉自在に組付けられたカバー２０が、プリンタ本体２に対して閉められた状態において、プリンタ本体２にカバー２０が備えられた側を「前側」とし、プリンタ本体２に裏側ケース１８（図５，図６）が備えられた側を「後側」とする。また、図５(b) の如く、プリンタ本体２にロール紙Ｒ１の本体Ｒ２が取付けられる側を「上側」とし、プリンタ本体２に印字ヘッド６０やローラ５０などの印刷部５が備えられた側を「下側」とする。
【００４３】
また、図８の如く、プリンタ１を前側から見て、プリンタ本体２の表側ケース１４の前壁１４ｂに、丸形状をした操作ボタン８１が備えられた側を「右側」とし、これと反対側を「左側」とする。この明細書でいう「左右幅方向」とは、プリンタ１の用紙取出部６に備えられた横長のカッタ７０に沿った方向を意味する。なお、この明細書における「前後」、「上下」、「左右」の定義は、各部を説明する上で、便宜上、定義されたものであり、必ずしもプリンタにおける実使用時の方向と一致するものではない。
【００４４】
図５および図６に示されたプリンタ１は、図８の如く、タクシーのインストルメントパネル４００に取付けられて、タクシーメータ２００の表示部に示された運賃などがロール紙Ｒ１（図５，図７）に印刷され、印刷されたロール紙Ｒ１は、カッタ７０の刃７１（図３，図５(b) ）によって切取られて、領収書として発行されるタクシーメータ用プリンタ１いわゆるタクシープリンタ１として使用されるものである。
【００４５】
図５，図６，図８の如く、このタクシーメータ用プリンタ１は、プリンタ本体２と、このプリンタ本体２に対し、開閉自在に組付けられるカバー２０とを備えるものである。カバー２０は、塵、埃などの異物によってロール紙Ｒ１が汚損されることや、紫外線や赤外線などを含む太陽光線によってロール紙Ｒ１が変色されることを防止するために、プリンタ１に備えられるものである。このように、カバー２０は、ロール紙Ｒ１を保護するためにプリンタ１に備えられるものであるから、このようなカバー２０は、ロールカバーと呼ばれてもよい。
【００４６】
図５および図６の如く、プリンタ本体２は、表側ケース１４と、内側ケース１６と、裏側ケース１８とから構成される合成樹脂製ケース１０と、このケース１０内にロール紙Ｒ１（図５，図７）が装填されるための開口３（図６）と、この開口３から入れられたロール紙Ｒ１が装着されるロール紙収容部４と、ロール紙Ｒ１を支持する保持部３０と、ロール紙Ｒ１が使い切られてロール紙Ｒ１が無くなったことを検知する光センサ４０と、ロール紙Ｒ１に印字を行う印刷部５と、ロール紙Ｒ１を切取るカッタ７０が設けられた用紙取出部６（図３，図５(b) ，図８）と、各操作ボタン８１，８２〜８４（図８）が押されることでプリンタ１に各指示が与えられてプリンタ１が動作されるための操作部８０（図１〜図６，図８）と、プリンタ１の各動作制御が行われるための各種電子部品（図示せず）が取付けられ、且つ、各種電子部品間を通電可能に接続する多くの回路導体（図示せず）が配設されたプリント基板いわゆるメイン基板１５０（図３）などを備えるものである。
【００４７】
また、図４の如く、表側ケース１４の右側下部にコネクタ開口部１４ｊが形成されて、プリンタ本体２（図８）の右側下部に、コネクタ（図示せず）が構成されている。プリンタ１に設けられた前記コネクタと、ワイヤハーネス（図示せず）に備えられた相手側コネクタ（図示せず）とが嵌め合されることで、プリンタ１と、タクシーメータ２００（図８）などの他の機器とが、通電可能に接続されることとなる。複数のケーブルが束ねられて構成されたワイヤハーネス（図示せず）のアース線は、金属製の車体（図示せず）などと通電可能に接続され、これにより、プリンタ１内の静電気は、速やかにプリンタ１の外部へと除去される。
【００４８】
また、図３および図５(b) の如く、印刷部５は、ローラ５０と、印字ヘッド６０とを備えるものである。ローラ５０により、印字ヘッド６０に向けてロール紙Ｒ１が押圧されると共に、ローラ５０が回転されつつ印字ヘッド６０によってロール紙Ｒ１に印刷が行われるものであるから、ローラ５０は、印刷部５の一部を構成するものとして重要なものとされている。また、図５(b) および図６(b) に示される印字ヘッド６０は、図３の如く、プリンタ本体２に内装されたプリンタユニット７に装備されたものである。
【００４９】
プリンタユニット７に装備された印字ヘッド６０は、板金製の可動押圧板１６６上に設けられ、この可動押圧板１６６が、押圧用ばね１７６の復元弾性力によって上側に向けて押されることで、可動押圧板１６６に設けられた印字ヘッド６０は、ゴム製ローラ５０に押接される。また、印字ヘッド６０を備える可動押圧板１６６は、支軸１７８に軸支されると共に、この支軸１７８を中心として上下動されるものである。
【００５０】
プリンタユニット７は、金属鋼板に打抜き・折曲げ加工が施されて形成された板金製のフレーム１６０に、前記印字ヘッド６０と、前記ローラを駆動させる小型モータ１９０と、カバー２０の開閉時に伴って軸部１６５ａを中心に回動される板金製のレバー１６５と、この板金製レバー１６５の回動に伴って支軸１７８を中心に回動される合成樹脂製のリンクレバー１８０と、このリンクレバー１８０の回動に伴って作動するスイッチ１８１とが備えられたものである。
【００５１】
板金製のフレーム１６０は、一方の側板１６２と、他方の側板１６３と、前記一方の側板１６２と前記他方の側板１６３とを繋ぐ基板を備えるものである。板金製のフレーム１６０を構成する一方の側板１６２に、前記板金製のレバー１６５と、前記合成樹脂製のリンクレバー１８０と、前記スイッチ１８１とが装着されている。また、板金製のフレーム１６０を構成する他方の側板１６３に、前記小型モータ１９０や、この小型モータ１９０の回転駆動力を伝える歯車（図示せず）などが装着されている。
【００５２】
また、プリンタ本体２の操作部８０に、発行ボタン８１などの各操作ボタン８１，８２〜８４（図４，図８）が備えられている。操作ボタンは、押しボタンと呼ばれてもよい。図１〜図４の如く、プリンタ本体２に備えられた操作部８０の内側に、プリンタ１に各動作指示を与える複数のタクトスイッチ１１０が備えられた基板１００いわゆるスイッチ基板１００が装着されている。
【００５３】
図１〜図４の如く、前記タクトスイッチ１１０の他に、このスイッチ基板１００は、前記発行ボタン８１などの各操作ボタン８１，８２〜８４に、光を当てて明るくさせる複数の照明１２０いわゆるイルミネーションランプ１２０を備えるものである。スイッチ基板１００は、前記タクトスイッチ１１０や、前記イルミネーションランプ１２０などを通電可能に接続する多くの回路導体（図示せず）が配設されたプリント基板である。前記回路導体は、静電気を逃すためのグランドライン１０７（図４）を含むものである。
【００５４】
プリント基板について簡単に説明すると、プリント基板は、熱硬化性樹脂などの絶縁性樹脂が用いられて形成された基板本体に、銅箔などの金属箔よりなる複数の回路導体（図示せず）が設けられて、印刷配線板として形成されたものである。回路導体を含む印刷配線板の上に絶縁皮膜が設けられて、漏電、ショートといった電気的な不具合が発生されないように対処されている。
【００５５】
図４に示されるスイッチ基板１００を構成する基板本体１０１に設けられた前記グランドライン１０７は、金属製カッタ７０のアース部７５がグランドライン１０７と接触される部分において、絶縁皮膜が設けられずに露出された状態となっている。
【００５６】
図４の如く、表側ケース１４の前壁１４ｂ部分に、発行ボタン８１などの各操作ボタン８１，８２〜８４と、前記各操作ボタン８１，８２〜８４の後側に位置するスペーサ９０と、前記各操作ボタン８１，８２〜８４と、スペーサ９０との間に装着され且つ「ばね部」７８，７８I を備えるカッタ７０とが、タクトスイッチ１１０と、イルミネーションランプ１２０とを基板本体１０１に備えるスイッチ基板１００と共に組付けられることで、図１〜図３の如く、操作部８０が構成される。
【００５７】
プリンタを構成する表側ケース１４の前壁１４ｂに配列された４つの操作ボタン８１，８２〜８４について、図８と共に説明する。
丸形状をした操作ボタン８１は、発行ボタン８１として機能されるものであり、この発行ボタン８１が押されることで、プリンタ１の用紙取出口６から、運賃などが印刷されたロール紙Ｒ１が送出される。
【００５８】
操作ボタン８２は、ＥＴＣボタン８２として機能されるものである。「ＥＴＣ」とは、「エレクトロニック・トール・コレクション・システム」の略称であり、ノンストップ自動料金収受システムを意味する。「ＥＴＣ」は、有料道路において料金所で問題とされてきた自動車の渋滞の解消や、キャッシュレス化による利便性の向上、管理コストの低減などを目的として開発されたものである。「ＥＴＣ」が用いられることにより、料金所において、自動車が、一旦、停止されてから、料金の支払いが行われるといった渋滞の原因となる作業が省力化され、無線通信によって、有料道路の料金の支払いが行われることとなる。
【００５９】
操作ボタン８３は、未収ボタンとして用いられたり、今後、開発される他の機能を備える装置に信号を送るために設けられたブランクボタン８３、いわゆる予備用の空ボタンとして用いられたりされるものである。
【００６０】
操作ボタン８４は、ＦＥＥＤボタン８４いわゆる送りボタンとして機能されるものであり、ロール紙Ｒ１がプリンタ１に補充された際などに押され、ロール紙Ｒ１に印刷が行われない状態で、プリンタ１の用紙取出口６からロール紙Ｒ１を送出させるために用いられるものである。
【００６１】
各操作ボタン８１，８２〜８４は、透明性といった光学的性質に優れ、また、耐衝撃性、電気絶縁性、耐熱性、成形加工性に優れるポリカーボネート樹脂（ＰＣと略称する）が用いられて形成されたものである。また、各操作ボタン８１，８２〜８４の後面８１ｂに表示された文字や色彩などの内容（図示せず）は、各操作ボタン８１，８２〜８４が射出成形される際に、各操作ボタン８１，８２〜８４の後面８１ｂに、射出成形用金型面に対して転写されることで刻設されるようにして形成されたものや、各操作ボタン８１，８２〜８４の後面８１ｂに、塗装によって任意の色に描き出されることで形成されたものである。
【００６２】
前記各操作ボタン８１，８２〜８４の後側に位置するスペーサ９０について説明する。
図４の如く、略矩形枠状に形成されたスペーサ９０の周壁９０ａを略均等に区切る一対の隔壁９０ｂが、スペーサ９０に設けられている。このような隔壁９０ｂが、スペーサ９０に設けられることで、スペーサ９０に、一つの操作ボタンに対応した略矩形状の収容部９２，９２I が形成される。また、このような隔壁９０ｂが、スペーサ９０に設けられることにより、スペーサ９０全体の機械的強度が向上される。
【００６３】
スペーサ９０に設けられた略同形状の三つの収容部９２は、三つとも同形状をした操作ボタン８２〜８４に対応したものである。スペーサ９０の右端側の矩形状をした収容部９２I と、延長壁９０ｃ，９０ｄによって形成された収容部９２II とは、発行ボタン８１に対応して形成されたものである。
【００６４】
前記一つの収容部９２につき、スイッチ基板１００に取付けられた一組のタクトスイッチ１１０およびイルミネーションランプ１２０が、共に一つの収容部９２内に位置することとなる。
【００６５】
イルミネーションランプ１２０から発せられる光によって、透明な合成樹脂製操作ボタン８１，８２〜８４の後面８１ｂに描かれた表示内容（図示せず）が、操作ボタン８１，８２〜８４の前面に向けて、操作ボタン８１，８２〜８４の中央から略均一に美しく照らし出されるために、操作ボタン８２〜８４の中央に対応して、スイッチ基板１００に配列された三つのイルミネーションランプ１２０は、スペーサ９０に配列された略矩形状の収容部９２の略中央部に位置される。
【００６６】
また、各操作ボタン８２〜８４がフィーリング良く押されるようにするために、三つの操作ボタン８２〜８４の下部８１ｄの中央に対応して、三つのタクトスイッチ１１０は、イルミネーションランプ１２０の真下に位置されるように、スイッチ基板１００の本体１０１に配列されている。
【００６７】
スイッチ基板１００の本体１０１の前面１０１ａに配列された三つのタクトスイッチ１１０と、スイッチ基板１００の本体１０１の前面１０１ａに位置するスペーサ９０とが、互いに干渉されることを防ぐために、略円柱状をしたタクトスイッチ１１０に対応して、湾曲状をした逃し部９８が、スペーサ９０を形成する周壁９０ａの下部９１ｄに設けられている。前記湾曲状をした逃し部９８は、スペーサ９０に配列された収容部９２の下側に向けて膨出されるようにして設けられている。
【００６８】
イルミネーションランプ１２０から発せられる光によって、透明な合成樹脂製の発行ボタン８１の後面８１ｂに描かれた表示内容（図示せず）が、発行ボタン８１の前面８１ａ（図１〜図３）に向けて、操作ボタン８１の中央から略均一に美しく照らし出されるために、発行ボタン８１の中央に対応して、スイッチ基板１００の右端側に設けられたイルミネーションランプ１２０は、図１〜図４の如く、スペーサ９０の右端側に設けられた略矩形状の収容部９２I の略中央下部に位置される。
【００６９】
また、発行ボタン８１がフィーリング良く押されるようにするために、発行ボタン８１に形成されたフランジ８１ｆI の下部８１ｄの中央に対応して、発行ボタン８１に対応したタクトスイッチ１１０は、スペーサ９０の右端下側に設けられた収容部９２II の略中央下部に位置される。
【００７０】
図１〜図４の如く、前記各操作ボタン８１，８２〜８４に対応して、各操作ボタン８１，８２〜８４の後側に、タクトスイッチ１１０が位置する。図１〜図３の如く、このタクトスイッチ１１０は、係止部１１９によって、スイッチ基板１００を構成する基板本体１０１に装着されている。タクトスイッチ１１０を構成する円筒状本体１１５（図１〜図３）に対し、白色をした円柱状可動部１１８が、円筒状本体１１５内に向けて押圧されることで（図２）、このタクトスイッチ１１０内において電気的な接触が行われ、これにより、タクトスイッチ１１０から、電気信号が各種電気・電子関連部品などに送られる。
【００７１】
図１，図２，図４の如く、プリンタ本体２に、複数のタクトスイッチ１１０と、各タクトスイッチ１１０が収納される複数の収容部９２，９２II が設けられたスペーサ９０と、各タクトスイッチ１１０を押圧する複数の操作ボタン８１，８２〜８４とが備えられて、プリンタにスイッチの取付構造が構成されている。また、プリンタ本体２に対して、各操作ボタン８１，８２〜８４の押付を停止させる複数のストッパ部９５，９５I が、スペーサ９０に形成されている。
【００７２】
複数のストッパ部９５，９５I が形成されたスペーサ９０は、プリンタに動作指示が与えられる際に、操作ボタン８１，８２〜８４に加えられる過大な押付力Ｆ（図２）に対し、スイッチ基板１００の本体１０１の前面１０１ａ側に装着されたタクトスイッチ１１０などを保護するストッパとして機能するものである。このようなスペーサ９０は、スイッチ基板１００を構成する基板本体１０１の前面１０１ａ側に備えられる。
【００７３】
このようなスイッチの取付構造がプリンタに構成されてあれば、プリンタ本体２を構成する表側ケース１４に対して、操作ボタン８１，８２〜８４（図４，図８）に過大な押付力Ｆが加えられて、プリンタに動作指示が与えられた場合であっても、タクトスイッチ１１０（図４）が収納される収容部９２，９２II が設けられたスペーサ９０に、各操作ボタン８１，８２〜８４の押付を停止させる複数のストッパ部９５，９５I が形成されてあるから、これらのストッパ部９５，９５I によって、タクトスイッチ１１０に加えられる押付力は、制限されることとなる。
【００７４】
即ち、前記スペーサ９０は、ストッパとしての機能を果すものであるから、スイッチ基板１００を構成する基板本体１０１の前面１０１ａ側に装着され、且つ、スペーサ９０の各収容部９２，９２II に収納された各タクトスイッチ１１０は、プリンタ本体２を構成する表側ケース１４に対し、各操作ボタン８１，８２〜８４に加えられる過大な押付力Ｆから守られることとなる。従って、各操作ボタン８１，８２〜８４に加えられる過大な押付力Ｆによって、各操作ボタン８１，８２〜８４に対応して設けられたタクトスイッチ１１０が、破損されてしまうといった不具合の発生は、未然に防止されることとなる。
【００７５】
図１および図４の如く、複数のストッパ部９５，９５I は、スペーサ９０を形成する周壁９０ａもしくは各隔壁９０ｂまたは延長壁９０ｃ，９０ｄの前面９１ａから、各操作ボタン８１，８２〜８４の後面８１ｂに向けられた薄肉円板状の突部９５，９５I として、スペーサ９０の前面９１ａに突出形成されている。
【００７６】
このように、プリンタ本体２に対して、操作ボタン８１，８２〜８４の押付を停止させるストッパ部９５，９５I が、スペーサ９０を形成する周壁９０ａもしくは各隔壁９０ｂまたは延長壁９０ｃ，９０ｄの前面９１ａに、突部９５，９５I として形成されてあるから、必要以上にスペーサ９０が大型化されるということはなく、突部９５，９５I が設けられたスペーサ９０の大きさは、突部９５，９５I が設けられていないスペーサ（図示せず）の大きさと、略同じ大きさのものとされる。
【００７７】
従って、スペーサ９０にストッパ部９５，９５I が形成されることで、大幅な設計変更が必要とされるといったことは回避されることとなり、操作ボタン８１，８２〜８４の押付を停止させる突部９５，９５I を、容易にスペーサ９０に形成させることが可能となる。
【００７８】
図４の如く、発行ボタン８１に対応して、スペーサ９０の収容部９２II を形成する延長壁９０ｃ，９０ｄの前面９１ａ略中央に、一対の突部９５I が形成されている。このような一対の突部９５I が、スペーサ９０の延長壁９０ｃ，９０ｄの前面９１ａ略中央に形成されてあれば、表側ケース１４に対し、この表側ケース１４の外側から内側に向けて、発行ボタン８１が押圧された際に、発行ボタン８１を形成するフランジ８１ｆI の後面８１ｂの下部８１ｄは、これに対応して、スペーサ９０の収容部９２II を形成する延長壁９０ｃ，９０ｄの前面９１ａ略中央に設けられた一対の突部９５I と当接されることとなる。
【００７９】
従って、表側ケース１４に対して、発行ボタン８１が、ぐらつくなどといった不安定な状態で、スペーサ９０の突部９５I に当接されて、発行ボタン８１の押付が停止されるといったことは回避され、表側ケース１４に対する発行ボタン８１の押付は、スペーサ９０の延長壁９０ｃ，９０ｄに設けられた一対の突部９５I によって、確実に安定した状態で停止されることとなる。
【００８０】
また、図４および図８に示される如く、表側ケース１４の前壁１４ｂに並べられて取付けられた同一形状の各操作ボタン８２〜８４において、図４の如く、一つ一つのそれぞれの操作ボタン８２〜８４に対応して、スペーサ９０を形成する周壁９０ａの左側壁の前面９１ａ下側と、前記周壁９０ａを区切って各収容部９２を形成する一対の隔壁９０ｂの前面９１ａ下側に、一対の突部９５が形成されている。即ち、各操作ボタン８２〜８４に対応して、スペーサ９０に並設された略同形状の各収容部９２を形成する左右両側壁の前面９１ａの下側に、一対の突部９５が形成されている。
【００８１】
このような突部９５がスペーサ９０に形成されてあれば、表側ケース１４に対し、この表側ケース１４の外側から内側に向けて、同一形状をした操作ボタン８２〜８４が押圧された際に、前記同一形状をした操作ボタン８２〜８４を形成するフランジ８１ｆの後面８１ｂの下部８１ｄは、各操作ボタン８２〜８４に対応して、スペーサ９０の前面９１ａの下側に形成された前記一対の突部９５と当接されることとなる。
【００８２】
即ち、各操作ボタン８２〜８４に対応して、スペーサ９０に並設された略同形状の各収容部９２において、これらの各収容部９２を形成する左右両側壁の前面９１ａの下側に位置する一対の突部９５と、同一形状をした操作ボタン８２〜８４を形成するフランジ８１ｆの後面８１ｂの下部８１ｄとが、当接されることとなる。
【００８３】
従って、表側ケース１４に対して、各操作ボタン８２〜８４が、ぐらつくなどといった不安定な状態で、スペーサ９０の突部９５に当接されて、操作ボタン８２〜８４の押付が停止されるといったことは回避され、表側ケース１４に対する各操作ボタン８２〜８４の押付は、スペーサ９０に並設された略同形状の各収容部９２の左右両側壁に位置する一対の突部９５によって、確実に安定した状態で停止されることとなる。
【００８４】
図４の如く、同一形状をした複数の操作ボタン８２〜８４の並び方向、即ち、スペーサ９０の左右幅方向に沿って、スペーサ９０を形成する周壁９０ａの左側壁の前面９１ａ下側と、前記周壁９０ａを区切って各収容部９２を形成する一対の隔壁９０ｂの前面９１ａ下側とに、複数の突部９５が並設されている。
【００８５】
このようにして、複数の突部９５が前記スペーサ９０に並設されてあれば、スペーサ９０に形成された操作ボタン８２〜８４の押付を停止させる各突部９５は、同一形状をした操作ボタン８２〜８４の押付に対して、前述した如く、好ましい停止位置に並設されてあるから、同一形状をした複数の操作ボタン８２〜８４のうち、何れの操作ボタン８２〜８４が、表側ケース１４の外側から内側に向けて押圧されても、表側ケース１４に対し、操作ボタン８２〜８４の停止位置がバラつくということはない。
【００８６】
従って、同一形状をした複数の操作ボタン８２〜８４のうち、何れの操作ボタン８２〜８４が表側ケース１４の外側から内側に向けて押圧されても、表側ケース１４に対し、各操作ボタン８２〜８４は何れも略均一な状態で停止されることとなる。
【００８７】
図１，図２，図４，図８に示される如く、各操作ボタン８１，８２〜８４は、プリンタ本体２を構成する表側ケース１４の前壁１４ｂに取付けられている。また、図１，図２，図４の如く、各操作ボタン８１，８２〜８４の後面８１ｂ側すなわち各操作ボタン８１，８２〜８４の押圧方向側に位置するスイッチ基板１００に、各タクトスイッチ１１０が取付けられている。図４の如く、基板本体１０１を備えるスイッチ基板１００は、ケース１０を構成する表側ケース１４内に、ねじ１９９などの止具１９９が用いられて固定される。
【００８８】
また、表側ケース１４の前壁１４ｂに備えられた各操作ボタン８１，８２〜８４の取付位置に対応して、スイッチ基板１００を構成する基板本体１０１の前面１０１ａ側に、各操作ボタン８１，８２〜８４に対応した各タクトスイッチ１１０が装着されている。
【００８９】
このようにすれば、表側ケース１４の前壁１４ｂに備えられた各操作ボタン８１，８２〜８４の取付位置に対応して、プリンタ本体２を構成する表側ケース１４内に、各タクトスイッチ１１０が位置することとなる。従って、プリンタ本体２を構成する表側ケース１４の外側から内側に向けて、各操作ボタン８１，８２〜８４が押付けられると、これらの操作ボタン８１，８２〜８４の押付動作に伴って、タクトスイッチ１１０を構成する可動部１１８も、このタクトスイッチ１１０を構成する本体１１５の内部に向けて、確実に押圧されることとなる（図１，図２）。
【００９０】
また、図４の如く、表側ケース１４の前壁１４ｂに取付けられた各操作ボタン８１，８２〜８４の後面８１ｂ側であって、且つ、プリンタ本体２を構成する表側ケース１４内に、ねじ１９９などの止具１９９が用いられて、スイッチ基板１００が固定されると、スイッチ基板１００を構成する基板本体１０１の前面１０１ａ側に装着された各タクトスイッチ１１０と、表側ケース１４の前壁１４ｂに取付けられた各操作ボタン８１，８２〜８４との位置関係が、略一致することとなる（図１，図２）。従って、各操作ボタン８１，８２〜８４に対する各タクトスイッチ１１０の位置決め作業と、表側ケース１４に、各操作ボタン８１，８２〜８４と、各タクトスイッチ１１０とを組付ける作業とは、容易で迅速に行われることとなる。
【００９１】
図４の如く、スペーサ９０は、略矩形枠状に形成された周壁９０ａが、一対の隔壁９０ｂによって、略均等に区切られることで形成された略矩形状の各収容部９２，９２I を備えるものである。図１〜図４に示される前記形状をしたスペーサ９０は、白色系の合成樹脂材料から形成された白色系の射出成形体であり、操作ボタン８１，８２〜８４に光を当てて明るくさせるイルミネーションランプ１２０を取囲む反射材を兼ねたものとして形成されている。
【００９２】
前記白色系の合成樹脂材料として、例えば、ポリプロピレン（ＰＰと略称する）、ポリアセタール樹脂（ＰＯＭと略称する）などが挙げられる。ポリプロピレン樹脂（ＰＰ）は、成形性、剛性、耐熱性、衝撃強さ、耐電圧、耐アーク性などの電気的特性などといった点で優れたものである。ポリアセタール樹脂（ＰＯＭ）は、成形加工性、機械的強度、耐疲労性、寸法安定性、電気絶縁性などの点で優れたものである。
【００９３】
スペーサ９０が、白色系のもので形成されてあれば、スイッチ基板１００の本体１０１の前面１０１ａに設けられたイルミネーションランプ１２０から発せられる光は、イルミネーションランプ１２０を取囲む白色をしたスペーサ９０によって反射され易くなる。
【００９４】
従って、イルミネーションランプ１２０から発せられる光と、イルミネーションランプ１２０を取囲む白色をしたスペーサ９０によって反射された光とが、操作ボタン８１，８２〜８４の後面８１ｂに当てられることとなる。これにより、透明な合成樹脂製操作ボタン８１，８２〜８４の後面８１ｂに描かれた表示内容（図示せず）は、操作ボタン８１，８２〜８４の前面８１ａ（図１〜図３）に向けて、より明るく照らし出されることとなる。
【００９５】
図１および図４の如く、金属製カッタ７０は、垂直部７４の上側に折れ部７０ａが設けられて、前側に約４５°（図１〜図３）ほど傾斜された刃部７１が形成され、垂直部７４の下側に、略直角の折曲げ部７０ｂが設けられて水平部７７が形成され、この水平部７７の前側に、やや斜め下側に向けられつつ略直角の折曲げ部７０ｃが設けられて、複数の「ばね部」７８，７８I が形成されたものである。
【００９６】
ばね付カッタ７０に良好な復元弾性力が備えられるために、図４の如く、各「ばね部」７８，７８I に、僅かに曲げられた折れ部７８ｅ，７８ｆが形成されている。このような形状をした「ばね付カッタ」７０は、薄肉のステンレス鋼板に打抜き・折曲げ加工が施されて形成されたものである。
【００９７】
図１〜図４の如く、プリンタ１（図３）は、このプリンタ１に動作指示を与える前記各操作ボタン８１，８２〜８４（図４）と、プリンタ１から出力されたロール紙Ｒ１（図３）すなわち用紙Ｒ１を切取る金属製カッタ７０と、各操作ボタン８１，８２〜８４と金属製カッタ７０とが組付けられる表側ケース１４とを備えるものである。そして、各操作ボタン８１，８２〜８４を、プリンタ本体２の内側から表側に向けて弾性復帰可能に押圧する複数の「ばね部」７８，７８I が、一つの金属製カッタ７０に設けられている。
【００９８】
このようにして、金属製のカッタ７０が形成されてあれば、プリンタ１から出力された用紙Ｒ１（図３）を切取る金属製カッタ７０に、前記複数の操作ボタン８１，８２〜８４（図４）をプリンタ本体２の内側から表側に向けて弾性復帰可能に押圧させる「ばね部材」の役割を兼ねさせることができる。これにより、図１１に示される従来のプリンタ５０１のように、カッタ５７０と、「ばね部材」５７８とが別々に用意されて、これらがプリンタ５０１に個別に組付けられるという煩わしい組立工程は、省略されることとなる。
【００９９】
従って、図３〜図６，図８に示されるプリンタ１の組立時において、省力化を図ることができる。また、複数の操作ボタン８１，８２〜８４が表側ケース１４に備えられる場合、図１１に示される従来のプリンタ５０１であると、発行ボタン５８１などの複数の操作ボタンの数に対応して、複数の「ばね部材」５７８が必要とされていた。
【０１００】
これに対し、図１〜図４の如く、複数の操作ボタン８１，８２〜８４をプリンタ本体２の内側から表側に向けて弾性復帰可能に押圧する複数の「ばね部」７８，７８I が、一つの金属製カッタ７０に設けられてあれば、そのような形状をした一つの金属製カッタ７０が、プリンタ本体２を構成する表側ケース１４に組付けられることで、組付け作業は済むこととなる。
【０１０１】
このように、図１〜図４に示される形状をした「ばね付カッタ」７０が、プリンタ１に用いられると、部品点数の大幅な削減化が図られることとなる。そして、これに伴って、金属製の「ばね付カッタ」７０が備えられるプリンタ１の価格の低減化も図られることとなる。
【０１０２】
図１〜図４の如く、前記複数の操作ボタン８１，８２〜８４に対応して、プリンタ１に動作指示を与える複数のタクトスイッチ１１０と、各操作ボタン８１，８２〜８４に光を当てて明るくさせるイルミネーションランプ１２０とが、間隔をおいてスイッチ基板１００上に一組ずつ設けられている（図４）。
【０１０３】
詳しく説明すると、各操作ボタン８１，８２〜８４に対応して、操作ボタン８１，８２〜８４の後側に、円筒状本体１１５（図１〜図３）に対し、白色をした円柱状可動部１１８が押圧されることで（図２）、電気信号を送るタクトスイッチ１１０が、係止部１１９によって前記スイッチ基板１００に装着されている。
【０１０４】
また、図１〜図４の如く、各操作ボタン８１，８２〜８４の後面８１ｂに描かれた表示内容（図示せず）が見易くされ、且つ、各操作ボタン８１，８２〜８４の美観が向上されるために、透明な前記樹脂材料で形成された各操作ボタン８１，８２〜８４に対応して、操作ボタン８１，８２〜８４の後側に、略直方体をしたイルミネーションランプ１２０などの照明装置が備えられている。図１〜図３の如く、イルミネーションランプ１２０は、白色の基部１２１と、光源部１２２とを備えるものである。
【０１０５】
図４の如く、前記各タクトスイッチ１１０と、前記各イルミネーションランプ１２０とは、プリンタ本体２を構成する表側ケース１４の前壁１４ｂの後側内部に備えられるスイッチ基板１００の基板本体１０１の前面１０１ａに共に配設されている。また、金属製カッタ７０として、耐食性に優れた薄肉板のステンレス材が用いられてカッタ７０全体が形成されてあるから、金属製カッタ７０の「ばね部」７８，７８I は、イルミネーションランプ１２０から発せられる光を反射する反射材を兼ねたものとされている。
【０１０６】
このように為されてあれば、スイッチ基板１００を構成する基板本体１０１の前面１０１ａに設けられたイルミネーションランプ１２０から発せられる光は、銀色をしたステンレス製カッタ７０の「ばね部」７８，７８I に乱反射されることとなる。従って、イルミネーションランプ１２０から発せられる光と、銀色をしたステンレス製カッタ７０の「ばね部」７８，７８I に乱反射された光とが、操作ボタン８１，８２〜８４の後面８１ｂに当てられることとなる。これにより、透明な合成樹脂製操作ボタン８１，８２〜８４の後面８１ｂに描かれた表示内容（図示せず）は、操作ボタン８１，８２〜８４の前面８１ａ（図３）に向けて、より明るく照らし出されることとなる。
【０１０７】
図３，図５，図６，図８に示されるプリンタ１に動作指示を与えるために、プリンタ本体２を構成する表側ケース１４に対して、操作ボタン８１，８２〜８４（図１〜図４，図８）がプリンタ本体２の内部に向けて押された時に（図２）、その操作ボタン８１，８２〜８４に対応して、スイッチ基板１００に設けられたタクトスイッチ１１０の可動部１１８（図１〜図４）も、操作ボタン８１，８２〜８４のフランジ８１ｆ，８１ｆI の下部８１ｄによって同時に押されることとなる（図２）。
【０１０８】
その際に、図４の如く、略円柱状をしたタクトスイッチ１１０の可動部１１８に対応して、金属製カッタ７０の「ばね部」７８に、略半円状をした湾曲状逃し部７８ｄが形成されてあるから、操作ボタン８２〜８４と、これらに対応したタクトスイッチ１１０の可動部１１８との間に、薄板上をした金属製カッタ７０の「ばね部」７８は介在されないこととなる。また、図１〜図４の如く、操作ボタン８１と、これに対応したタクトスイッチ１１０の可動部１１８との間に、薄板上をした金属製カッタ７０の「ばね部」７８I は、介在されないように為されている。
【０１０９】
従って、例えば、操作ボタン８１，８２〜８４と、タクトスイッチ１１０の可動部１１８との間に、薄板上をした金属製カッタ７０の「ばね部」７８が挟み込まれることで、金属製カッタ７０の「ばね部」７８に大きな力が加えられ、これによって薄肉の金属製カッタ７０の「ばね部」７８に塑性変形が生じてしまい、このことから、操作ボタン８１，８２〜８４が、プリンタ本体２の内側から表側に向けて良好に弾性復帰されなくなり、操作フィーリングが著しく低下されるということや、操作ボタン８１，８２〜８４が、プリンタ本体２の内側から表側に向けて、全く弾性復帰できなくなるといった不具合の発生は、未然に防止されるように為されている。
【０１１０】
また、薄板状をした金属製カッタ７０の「ばね部」７８に干渉されることなく、操作ボタン８１，８２〜８４は、スムーズにタクトスイッチ１１０の可動部１１８を押せることとなるから、操作フィーリングが向上された金属製のプリンタ用カッタの取付構造、もしくは、このような構造を備えるプリンタ１を提供することが可能となる。
【０１１１】
図４の如く、三つの同形状をした操作ボタン８２〜８４に対応して、カッタ７０に配列された三つの同形状をした「ばね部」７８は、前記湾曲状逃し部７８ｄと、この湾曲状逃し部７８ｄの両側に湾曲部７８ｃが形成されて、略逆凸字状に形成されたものである。また、発行ボタン８１に対応した「ばね部」７８I は、略矩形状に形成されたものである。
【０１１２】
プリンタ本体を構成する表側ケース１４に対して、各操作ボタン８１，８２〜８４が、プリンタ本体２の表側から内側に向けて押圧された際に、スペーサ９０の前面９１ａに、金属製カッタ７０の「ばね部」７８，７８I の下部後面７８ｂが当接されて、金属製カッタ７０の「ばね部」７８，７８I の「撓み」が規制されることとなる（図２）。このようなことから、図４の如く、ストッパとしての役割を果す前記スペーサ９０の形状は、金属製カッタ７０に設けられた複数の「ばね部」７８，７８I の形状に略対応した形状のものとされている。
【０１１３】
図１〜図４の如く、プリンタ本体２に、用紙Ｒ１を切取るために用いられる金属製カッタ７０と、複数のタクトスイッチ１１０と、各タクトスイッチ１１０が収納される複数の収容部９２，９２II が設けられた合成樹脂製のスペーサ９０と、各タクトスイッチ１１０を押圧する複数の操作ボタン８１，８２〜８４と、各タクトスイッチ１１０が装着されるスイッチ基板１００と、このスイッチ基板１００が固定される表側ケース１４とが備えられて、プリンタにスイッチの取付構造が構成されている。
【０１１４】
上述した如く、金属製カッタ７０の前側に、各操作ボタン８１，８２〜８４と押接される複数の「ばね部」７８，７８I が設けられている。また、金属製カッタ７０の「ばね部」７８，７８I と、この金属製カッタ７０よりも後側に位置するスイッチ基板１００との間に、合成樹脂製のスペーサ９０が設置され、このスペーサ９０の上部９１ｃ且つ前面９１ａに、複数の支点９９が並設されている。
【０１１５】
合成樹脂製のスペーサ９０に設けられた支点９９について詳しく説明すると、一つの操作ボタンに対応して、スペーサ９０を形成する周壁９０ａの上部９１ｃ且つ前面９１ａに、円柱状をした一対の支点９９が、スペーサ９０を形成する周壁９０ａの上部９１ｃの左右幅方向に沿って、それぞれ突設されている。
【０１１６】
前記各操作ボタン８１，８２〜８４と、前記金属製カッタ７０と、前記合成樹脂製スペーサ９０と、前記各タクトスイッチ１１０が装着された前記スイッチ基板１００とが、プリンタ本体２を構成する表側ケース１４に組付けられることで、各操作ボタン８１，８２〜８４のフランジ８１ｆ，８１ｆI の上部８１ｃと、スペーサ９０の前記支点９９とが当接される。
【０１１７】
これと共に、金属製カッタ７０に設けられた各ばね部７８，７８I が、各操作ボタン８１，８２〜８４の後面８１ｂに押接されることで、プリンタ本体２を構成する表側ケース１４の内側から外側に向けて、各操作ボタン８１，８２〜８４は、弾性復帰可能に押圧されることとなる。
【０１１８】
このようなスイッチの取付構造が、プリンタの操作部８０として構成されてあれば、各操作ボタン８１，８２〜８４は、ガタつきなどが抑えられつつ、弾性復帰可能な状態で、プリンタ本体２を構成する表側ケース１４の前壁１４ｂに組付けられることとなる。
【０１１９】
即ち、各操作ボタン８１，８２〜８４と、ばね付カッタ７０と、スペーサ９０と、各タクトスイッチ１１０が装着されたスイッチ基板１００とが、プリンタ本体２を構成する表側ケース１４に組付けられ、ねじ１９９などの止具１９９が用いられて、前記スイッチ基板１００が、プリンタ本体２を構成する表側ケース１４内に確実に固定されることで、各操作ボタン８１，８２〜８４に、カッタ７０の各ばね部７８，７８I が押接される。
【０１２０】
これについて詳しく説明すると、まず、スペーサ９０の一端９１ｃ側として、スペーサ９０を形成する周壁９０ａの上部９１ｃ且つ前面９１ａに設けられた各支点９９と、各操作ボタン８１，８２〜８４の一端８１ｃ側として、各操作ボタン８１，８２〜８４のフランジ８１ｆ，８１ｆI の上部８１ｃ且つ後面８１ｂとが当接される。
【０１２１】
これと共に、金属製カッタ７０の「ばね部」７８，７８I の前面７８ａ（図１，図４）が、操作ボタン８１，８２〜８４の後面８１ｂによって押接されることで、金属製カッタ７０の「ばね部」７８，７８I は、これの前側から後側に向けて弾性変形させられることとなる。
【０１２２】
このように、操作ボタン８１，８２〜８４の押接によって、金属製カッタ７０の「ばね部」７８，７８I が、これの前側から後側に向けて弾性変形させられることで、金属製カッタ７０の「ばね部」７８，７８I に、後側から前側に向けた復元弾性力が発生されることとなる。
【０１２３】
この復元弾性力によって、金属製カッタ７０の「ばね部」７８，７８I と当接された各操作ボタン８１，８２〜８４は、プリンタ本体２の内側から外側に向けて弾性復帰可能な状態で、プリンタ本体２を構成する表側ケース１４の前壁１４ｂに組付けられることとなる。従って、プリンタ本体２を構成する表側ケース１４に対して、各操作ボタン８１，８２〜８４が押される際の操作フィーリングは、良好なものとなる。
【０１２４】
表側ケース１４に、各操作ボタン８１，８２〜８４と、金属製カッタ７０と、合成樹脂製スペーサ９０と、タクトスイッチ１１０とイルミネーションランプ１２０とを基板本体１０１に備えるスイッチ基板１００とが組付けられて、プリンタ本体２（図１，図３，図８）に操作部８０が構成される組立手順について、図１〜図４と共に詳しく説明する。図４の如く、まず、各操作ボタン８１，８２〜８４が、表側ケース１４の前壁１４ｂの所定位置に取付けられる。
【０１２５】
次に、ばね付カッタ７０が、表側ケース１４の出口部１４ｆに取付けられる。表側ケース１４の出口部１４ｆは、表側ケース１４の前壁１４ｂに続く湾曲状段部１４ｆ1 （図１〜図３）と、水平部１４ｆ2 （図１〜図４）と、ばね付カッタ７０の前傾された刃部７１が当接される部分とを備えるものである。
【０１２６】
図４の如く、ばね付カッタ７０が、表側ケース１４の出口部１４ｆに取付けられる際に、ばね付カッタ７０の位置決め用孔７３ａが、表側ケース１４の一方の位置決め用突出部１３ａに嵌め込まれ、ばね付カッタ７０の位置決め用長孔７３ｂが、表側ケース１４の他方の位置決め用突出部１３ｂに嵌め込まれる。これと共に、ばね付カッタ７０の垂直部７４および水平部７７と、表側ケース１４のガイド板１４ｇとが当接（図１，図３）され、且つ、ばね付カッタ７０を形成する前傾された刃部７１が、表側ケース１４の出口部１４ｆに当接されて、容易で確実に位置決めが行われつつ、ばね付カッタ７０は、表側ケース１４の出口部１４ｆに取付けられることとなる。
【０１２７】
これにより、ばね付カッタ７０の刃７１は、表側ケース１４の出口部１４ｆから適度に突出されて、表側ケース１４の出口部１４ｆに確実に固定されることとなる。また、図４から分るように、表側ケース１４の出口部１４ｆに設けられた一対の固定部１３ｃの止具固定用穴１３ｄの中心と、ばね付カッタ７０の垂直部７４に設けられた一対の止具挿通孔７３ｄの中心とが、略一致することとなる。また、カッタ７０に設けられた各「ばね部」７８，７８I の間に、表側ケース１４のガイド板１４ｇの下側に突設された各補強ガイドリブ１４ｈが、隙間をもって入り込むこととなる。
【０１２８】
次いで、カッタ７０の「ばね部」７８，７８I の形状に略対応したスペーサ９０が、表側ケース１４に取付けられる。その際に、スペーサ９０の一方の位置決め用突出部９３ｅが、表側ケース１４の一方の位置決め用凹部１３ｅに嵌め込まれ、スペーサ９０の他方の位置決め用突出部９３ｆが、表側ケース１４の他方の位置決め用凹部１３ｆに嵌め込まれ、スペーサ９０を形成する周壁９０ａの上部９１ｃに設けられた各切欠部９４に、表側ケース１４のガイド板１４ｇの下側に突設された各補強ガイドリブ１４ｈが入り込み、表側ケース１４の各補強ガイドリブ１４ｈの先端部に、スペーサ９０の各切欠部９４の奥底部が当接されることで、容易で確実に位置決めが行われつつ、スペーサ９０は、表側ケース１４に取付けられる。
【０１２９】
これにより、図４から分るように、表側ケース１４の前壁１４ｂの内側に設けられた一対の突出固定部１３ｇの止具固定用穴１３ｈの中心と、スペーサ９０の下部９１ｄに設けられた一対の固定部９３ｇの止具挿通孔９３ｈの中心とが、略一致することとなる。
【０１３０】
次いで、表側ケース１４の前壁１４ｂに対応し略矩形板状をしたスイッチ基板１００が、表側ケース１４に取付けられる。その際に、スイッチ基板１００を構成する基板本体１０１の位置決め用孔１０３ａが、表側ケース１４の一方の位置決め用突出部１３ａに嵌め込まれ、スイッチ基板１００を構成する基板本体１０１の位置決め用長孔１０３ｂが、表側ケース１４の他方の位置決め用突出部１３ｂに嵌め込まれることで、容易で確実に位置決めが行われつつ、スイッチ基板１００は、表側ケース１４に取付けられる。
【０１３１】
これにより、図４から分るように、表側ケース１４の出口部１４ｆに設けられた一対の固定部１３ｃの止具固定用穴１３ｄの中心と、スイッチ基板１００を構成する基板本体１０１の上側に設けられた一対の止具挿通孔１０３ｄの中心とが、略一致することとなる。また、表側ケース１４の前壁１４ｂの内側に設けられた一対の突出固定部１３ｇの止具固定用穴１３ｈの中心と、スイッチ基板１００を構成する基板本体１０１の下側に設けられた一対の他の止具挿通孔１０３ｈの中心とが、略一致することとなる。
【０１３２】
その後、ねじ１９９が、スイッチ基板１００を構成する基板本体１０１の上側に位置する止具挿通孔１０３ｄから、ばね付カッタ７０の垂直部７４に設けられた止具挿通孔７３ｄを通り抜け、表側ケース１４の出口部１４ｆに設けられた固定部１３ｃの止具固定用穴１３ｄにねじ込まれる。
【０１３３】
また、他のねじ１９９が、スイッチ基板１００を構成する基板本体１０１の下側に位置する他の止具挿通孔１０３ｈから、スペーサ９０の下部９１ｄに設けられた固定部９３ｇの止具挿通孔９３ｈを通り抜け、表側ケース１４の前壁１４ｂの内側に設けられた突出固定部１３ｇの止具固定用穴１３ｈにねじ込まれる。
【０１３４】
ねじ１９９などの止具１９９が用いられて、スイッチ基板１００を構成する基板本体１０１の前面１０１ａと、スペーサ９０の後面９１ｂとが確実に当接され、且つ、スイッチ基板１００が表側ケース１４に確実に固定されることで、表側ケース１４に、各操作ボタン８１，８２〜８４と、金属製カッタ７０と、合成樹脂製のスペーサ９０と、スイッチ基板１００とが組付けられ、プリンタ本体２（図１，図３，図８）に操作部８０が構成されることとなる。
【０１３５】
組付け後の「ばね付カッタ」７０のアース用突出部７６は、これに対応してスイッチ基板１００の略左上端に設けられた切欠部１０６を通り抜け、図１および図３の如く、ばね付カッタ７０のアース用突出部７６の垂直先端部７６ｃは、スイッチ基板１００を構成する基板本体１０１の後面１０１ｂよりも、後側に位置することとなる。
【０１３６】
また、図４の如く、表側ケース１４の前壁１４ｂの内側隅部に設けられた複数の円筒状固定部１３ｊに対応して、スイッチ基板１００を構成する基板本体１０１の下側隅部に、一対の逃し部１０３ｊが設けられている。図４に示される止具固定用穴１３ｋを備える複数の円筒状固定部１３ｊは、図５および図６の如く、表側ケース１４に裏側ケース１８が組付けられて、プリンタ本体２が組立てられる際に用いられるものである。
【０１３７】
図４に示される「ねじ」１９９が、合成樹脂製の表側ケース１４に設けられた上記各固定部１３ｃ，１３ｇ，１３ｊの止具固定用穴１３ｄ，１３ｈ，１３ｋにねじ込まれ、その際に、止具固定用穴１３ｄ，１３ｈ，１３ｋが雌ねじ穴として形成されることにより、「ねじ」１９９による締結が行われるものである。なお、表側ケース１４に設けられた上記各固定部１３ｃ，１３ｇ，１３ｊの止具固定用穴１３ｄ，１３ｈ，１３ｋは、ねじによる締結が行われる前に、予め、雌ねじ穴として形成されたものであってもよい。
【０１３８】
図１〜図４の如く、プリンタ１から出力されたロール紙Ｒ１すなわち用紙Ｒ１を切取るための金属製のプリンタ用カッタ７０に、用紙Ｒ１の静電気を除去させるアース部７５が、相手導通体１０７（図４）と、直接、接触されるように設けられている。このようにすれば、図３に示される用紙Ｒ１の静電気は、この用紙Ｒ１と当接された金属製のプリンタ用カッタ７０と、この金属製のプリンタ用カッタ７０と通電可能に接触された相手導通体１０７（図４）とを介して、速やかに除去されることとなる。
【０１３９】
しかも、図１１に示される従来のプリンタ５０１に設けられていたアース用のリード線６０９ａを省略させるということが可能となる。従来のプリンタ５０１においては、プリンタ５０１から出力された用紙Ｒ５０１の静電気を除去させるために、アース用のリード線６０９ａが必要とされていたが、そのようなアース用のリード線６０９ａを省略することが可能となった。これにより、部品点数の削減化が図られ、また、これと共に、図５，図６，図８に示される金属製のプリンタ用カッタ７０が備えられたプリンタ１の価格の低減化が図られることとなる。
【０１４０】
図１〜図４の如く、前記金属製のプリンタ用カッタ７０と、プリンタ１に各動作指示を与えるためのタクトスイッチ１１０が設けられた基板１００すなわちスイッチ基板１００とが、プリンタ本体２を構成する表側ケース１４に取付けられている。また、図４の如く、前記相手導通体１０７として、スイッチ基板１００の回路導体を構成するグランドライン１０７が用いられている。そして、図１〜図３の如く、金属製のプリンタ用カッタ７０のアース部７５において、スイッチ基板１００を構成する基板本体１０１の前面１０１ａに設けられたグランドライン１０７（図４）と、通電可能に接触されている。
【０１４１】
このように、金属製のプリンタ用カッタ７０と、スイッチ基板１００のグランドライン１０７とが、通電可能となるように、直接、接触されてあるから、図３に示される用紙Ｒ１の静電気は、金属製のプリンタ用カッタ７０を介してスイッチ基板１００のグランドライン１０７（図４）へと逃されることとなる。
【０１４２】
従って、図１１に示される従来のプリンタ５０１のように、カッタ５７０と、基板６００のグランドライン（図示せず）とが、アース用のリード線６０９ａが用いられると共に「はんだ付け」の作業が伴われて通電可能に接続されるといった作業は、必要とされなくなる。このようにして、図３〜図６，図８に示されるプリンタ１の組立時における省力化が図られる。
【０１４３】
図４の如く、スイッチ基板１００を構成する基板本体１０１の前面１０１ａに設けられたグランドライン１０７は、同じくスイッチ基板１００を構成する基板本体１０１の前面１０１ａに設けられたＰＣＢ用コネクタ１３０と、通電可能に接続されている。そして、このＰＣＢ用コネクタ１３０に接続されたフレキシブルフラット回路体１４０を介して、静電気はプリンタの外部へと逃されることとなる。
【０１４４】
即ち、図３に示される用紙Ｒ１に帯びた静電気は、金属製のプリンタ用カッタ７０と通電可能に接触されたスイッチ基板１００のグランドライン１０７（図４）から、グランドライン１０７が通電可能に接続されたスイッチ基板１００上のＰＣＢ用コネクタ１３０を経由して、ＰＣＢ用コネクタ１３０に接続されたフレキシブルフラット回路体１４０を伝わって、プリンタの外部へと速やかに逃されることとなる。
【０１４５】
ＰＣＢ用コネクタとは、スイッチ基板１００や、メイン基板１５０に設けられた金属箔などの回路導体に、「はんだ付け」されて使用されるコネクタを意味するものであり、ＰＣＢとは、「 Printed Circuit Board 」 の略称である。ＰＣＢ用コネクタに使用される端子は、一般に角ピンタイプのバスバーである。
【０１４６】
ＰＣＢ用コネクタは、主に垂直取付形と水平取付形との２種類の取付タイプに分けられる。垂直取付形のＰＣＢ用コネクタは、雄雌コネクタの結合方向が基板に対して垂直となるように取付けられるタイプのものをいう。一方、水平取付形のＰＣＢ用コネクタは、雄雌コネクタの結合方向が基板に対して水平になるように取付けられるタイプのものをいう。図４に示されるＰＣＢ用コネクタ１３０は、水平取付形のタイプのものである。
【０１４７】
フレキシブルフラット回路体（ＦＦＣ）は、薄い条材、細い単線またはエナメル線より構成される複数の回路導体が絶縁シートに並設されたものであり、「ＦＦＣ」と略称されるものである。前記フレキシブルフラット回路体（ＦＦＣ）１４０以外の電線として、例えば、フラット電線からなる回路体、丸導体のリボン電線からなる回路体、フレキシブルプリント回路体（ＦＰＣと略称する）などが挙げられる。
【０１４８】
図４の如く、ＰＣＢ用コネクタ１３０と接続されたフレキシブルフラット回路体１４０は、スイッチ基板１００を構成する基板本体１０１のやや左側の下端において、フレキシブルフラット回路体１４０の厚さに対応して、僅かにへこまされて形成された電線用逃し部１０４を跨ぐようにして、スイッチ基板１００の前側から、スイッチ基板１００の後側に向けて延長されている（図１〜図３）。
【０１４９】
図１〜図４の如く、金属製のプリンタ用カッタ７０に、アース用突出部７６が形成されている。このアース用突出部７６の垂直先端部７６ｃは、図３の如く、プリンタ１内部に装着された印刷部５を備えるプリンタユニット７の金属製フレーム１６０と、通電可能に接触されている。
【０１５０】
詳しく説明すると、ステンレス製カッタ７０に設けられたアース用突出部７６が、プリンタユニット７の金属製フレーム１６０に当接されることで、ステンレス製カッタ７０のアース用突出部７６に復元弾性力が発生され、この復元弾性力によって、ステンレス製カッタ７０に設けられたアース用突出部７６の垂直先端部７６ｃの後側面が、プリンタユニット７を構成する金属製フレーム１６０の他方の側板１６３の前端部と確実に接触される。このようにして、ステンレス製カッタ７０と、プリンタユニット７を構成する金属製フレーム１６０とは、通電可能な状態に確実に維持される。
【０１５１】
このように、金属製のプリンタ用カッタ７０のアース用突出部７６の垂直先端部７６ｃと、印刷部５を備えるプリンタユニット７の金属製フレーム１６０とが、確実に通電可能に接触されてあるから、プリンタユニット７で発生された静電気は、このプリンタユニット７を構成する金属製フレーム１６０を介して、金属製のプリンタ用カッタ７０を経由した後に、スイッチ基板１００のグランドライン１０７へと逃されることとなる。
【０１５２】
従って、図１１に示される従来のプリンタ５０１のように、プリンタユニット５０７と、基板６００のグランドライン（図示せず）とが、アース用のリード線６０９ｂが用いられると共に「はんだ付け」の作業が伴われて通電可能に接続されるといった作業は、必要とされなくなる。このようにして、図３〜図６，図８に示されるプリンタ１の組立時における省力化が図られる。
【０１５３】
図４の如く、金属製のプリンタ用カッタ７０のアース用突出部７６は、金属製のプリンタ用カッタ７０に設けられた前傾刃部７１の左端側の垂直部７４に設けられている。このアース用突出部７６は、前記垂直部７４の根元部７６ａに、カッタ７０の後側に向けて約４５°（図１〜図３）に曲げられた折れ部７６ｄが形成され、この折れ部７６ｄを基点として、傾斜部７６ｂがカッタ７０の後部上側に向けて他の折れ部７６ｅまで延設され、他の折れ部７６ｅから略上側に向けて垂直先端部７６ｃが形成されたものである。
【０１５４】
上述した如く、図４に示される金属製の「ばね付カッタ」７０が、図１〜図６，図８に示されるケース１０に取付けられて、用紙Ｒ１に印刷を行うと共に紙片を発行するプリンタ１に備えられると、従来技術のプリンタよりも改良されたプリンタとなる。
【０１５５】
即ち、従来技術のプリンタ５０１（図１１）から出力された用紙Ｒ５０１の静電気を除去するために、カッタ５７０と、スイッチ基板６００とを接続するアース用のリード線６０９ａは、スイッチ基板６００に設けられる必要性がなくなる。また、プリンタユニット５０７と、スイッチ基板６００とを接続するアース用のリード線６０９ｂも不必要なものとなる。これに伴って、アース用のリード線６０９ａ，６０９ｂをカッタ５７０やプリンタユニット５０７から、スイッチ基板６００へ接続させるといった作業も無くなって、組立工程の省力化が図られることとなる。
【０１５６】
さらに、従来のプリンタ５０１のように、カッタ５７０と、「ばね部材」５７８とが別々に必要とされて、これらがプリンタ５０１に個別に組付けられるという煩わしい組立工程も無くなって、より組立工程の省力化が図られることとなる。そして、アース用のリード線６０９ａと、金属製カッタ７０と別部品の「ばね部材」５７８とが、共に不必要なものとされることから、部品点数の大幅な削減化を図ることができる。また、これに伴って、金属製カッタが備えられるプリンタの価格の低減化も図られることとなる。
【０１５７】
図５および図６の如く、プリンタ１は、ロール紙Ｒ１が取付けられる内側ケース１６と、このロール紙Ｒ１に印刷を行う印字ヘッド６０と、この印字ヘッド６０にロール紙Ｒ１を押圧させるローラ５０と、前記内側ケース１６と、前記印字ヘッド６０と、前記ローラ５０とを覆う表側ケース１４および裏側ケース１８とを備えるものである。
【０１５８】
そして、図３および図５(b) の如く、ロール紙Ｒ１の外側面Ｒ５にローラ５０が押付けられると共に、このロール紙Ｒ１の内側面Ｒ４に印字ヘッド６０が当接され、これと共にローラ５０が回転されて、ロール紙Ｒ１に印刷が行われるものである。このようにすれば、ロール紙Ｒ１の印刷が行われることで、ロール紙Ｒ１の「湾曲くせ」が修正されるから、プリンタ１の用紙取出部６より、「湾曲くせ」が矯正された領収書が発行されることとなる。
【０１５９】
図１１および図１２に示される従来のタクシープリンタ５０１においては、ロール紙Ｒ５０１の「湾曲くせ」により、ロール紙Ｒ５０１の紙片すなわち領収書に印刷された日付や料金内容が見づらいことや、領収書が財布の中に収納され難いことや、タクシー乗車後に旅費清算などが為される際に、領収書が旅費清算用の用紙に貼り付けられ難いといった問題があった。
【０１６０】
これに対し、図３および図５に示される前記プリンタ１においては、ロール紙Ｒ１に印刷が行われると共に、ロール紙Ｒ１の「湾曲くせ」が修正されることとなったことから、前記従来のプリンタ５０１（図１２(b) ）において問題とされていたロール紙Ｒ５０１に「湾曲くせ」が付けられ、この「湾曲くせ」により、従来のプリンタ５０１から発行される領収書は取扱われ難いといった不具合が解決されることとなった。
【０１６１】
図３および図５(b) の如く、プリンタ１の印刷部５において、ロール紙Ｒ１の外側面Ｒ５が、ローラ５０の外周面５０ａに沿って、それまで湾曲されてあった方向に対し逆の方向に曲げられることで、このロール紙Ｒ１の「湾曲くせ」は、修正されることとなる。即ち、ロール紙Ｒ１の外側面Ｒ５が、ローラ５０の外周面５０ａに沿って、これまで湾曲されてあった方向に対して逆向きの円弧状に曲げられることで、ロール紙Ｒ１の内側面Ｒ４に向けて、強く「湾曲くせ」が付けられていたロール紙Ｒ１は、これと反対の方向に曲げられることとなる。これにより、ロール紙Ｒ１の内側面Ｒ４に向けて付けられてあった「湾曲くせ」は、より修正されることとなる。
【０１６２】
ローラ５０は、長期に亘って適度な復元弾性力が発現され易いゴム製の円柱状回転ローラ５０として形成されたものである。また、ゴム製ローラ５０は、小型モータ１９０（図３）の駆動力が、歯車（図示せず）などによって伝達されて回転されるものである。
【０１６３】
また、印字ヘッド６０は、感熱ヘッド６０として機能するものである。感熱ヘッド６０は、サーマルヘッドなどと呼ばれてもよい。感熱ヘッド６０には、多数の微小な発熱抵抗体が配列されており、印字される内容に対応した部分の微小な発熱抵抗体に電流が流されると、前記発熱抵抗体は、一瞬のうちに約３００℃という高温に加熱されることとなる。加熱された部分の発熱抵抗体にロール紙Ｒ１などの感熱紙が接触されると、加熱された部分の発熱抵抗体に対応して、ロール紙Ｒ１などの感熱紙が黒く変色され、これにより、ロール紙Ｒ１に印刷が行われることとなる。
【０１６４】
このように、印字ヘッド６０として感熱ヘッド６０が用いられて、ロール紙Ｒ１などの感熱紙に印刷が行われることで、感熱ヘッド６０の熱によって、ロール紙Ｒ１の内側面Ｒ４に向けて付けられてあった「湾曲くせ」は、少しでも修正されるものと期待される。感熱ヘッド６０と、ロール紙Ｒ１などの感熱紙とが擦れ合って、発熱抵抗体が摩耗されることを防ぐために、前記発熱抵抗体の表面に薄いガラス製保護層が設けられている。
【０１６５】
ゴム製ローラ５０と、ガラス製保護層を備える感熱ヘッド６０とに挟持され、且つ、ガラス製保護層が設けられた感熱ヘッド６０と、ロール紙Ｒ１とが擦れ合って、このロール紙Ｒ１に印刷などが行われる際に、ロール紙Ｒ１に静電気が発生される。
【０１６６】
このようにして発生された静電気は、ロール紙Ｒ１と当接する上記ばね付カッタ７０（図３）を介した後に、上記スイッチ基板１００に設けられたグランドライン１０７（図４）を経て、上記ＰＣＢ用コネクタ１３０を通過し、上記フレキシブルフラット回路体（ＦＦＣ）１４０を経由した後に、ワイヤハーネス（図示せず）のアース線を伝わって、速やかに金属製の車体（図示せず）へと逃されることとなる。
【０１６７】
上記の各部品が収容される表側ケース１４は、操作ボタン８１，８２〜８４（図４，図８）が並列された操作部８０を構成する前壁１４ｂと、表側ケース１４を形成する周壁１４ａとを備え、これらの壁に取囲まれた収容部１４ｃ（図３，図５(b) ，図６）に、プリンタ１の機能に必要とされる前記各種の備品が組付けられて収納される。図５および図６の如く、内側ケース１６は、基壁１６ｂと、一対の側壁１６ａと、突出段部１６ｃとを備え、これらの板状をした壁に囲まれた部分がロール紙収容部４とされる。また、裏側ケース１８は、基壁１８ｂと、基壁１８ｂを取囲む周壁１８ａとを備え、基壁１８ｂと、周壁１８ａとによって囲まれて形成された収容部１８ｃに、各種備品（図示せず）が収納される。
【０１６８】
図３〜図６の如く、裏側ケース１８（図５，図６）が、表側ケース１４に容易に組付けられるために、裏側ケース１８を形成する周壁１８ａの開口周縁部に案内用鍔１８ｄが設けられている。また、裏側ケース１８を形成する周壁１８ａの開口周縁部に設けられた案内用鍔１８ｄに対応して、図３〜図６の如く、表側ケース１４を形成する周壁１４ａの後側開口周縁部に案内用切欠溝１４ｄが設けられている。
【０１６９】
そして、表側ケース１４の周壁１４ａの後側開口周縁部に設けられた案内用切欠溝１４ｄに、裏側ケース１８の周壁１８ａの開口周縁部に設けられた案内用鍔１８ｄが嵌め込まれることで、表側ケース１４と裏側ケース１８とが容易で迅速にしかも正確に嵌め合されることとなる。また、このようにすれば、ケース１０内に収容されたプリンタ１の機能に必要とされる前記各種の備品は、埃、塵などの異物から保護され易くなる。
【０１７０】
表側ケース１４、内側ケース１６、裏側ケース１８などのケース１０は、剛性、耐衝撃性、電気絶縁性、耐熱性、耐候性、成形加工性に優れるアクリロニトリルブタジエンスチレン樹脂（ＡＢＳと略称する）が用いられて形成されたものである。アクリロニトリルブタジエンスチレン樹脂（ＡＢＳ）が用いられて、表側ケース１４、内側ケース１６、裏側ケース１８などのケース１０が形成されてあれば、プリンタ本体２のケース１０は、軽量化されたものとなる。しかも、衝撃などによる外力がケース１０に加えられたとしても、ケース１０は破損され難い丈夫なものとなる。
【０１７１】
図５(a) の如く、ロール紙Ｒ１を支持する保持部３０は、プリンタ本体２に内装された内側ケース１６を形成する一対の他の側壁に設けられたものである。一対の保持部３０は、内側ケース１６の一対の他の側壁に形成された保持枠３１と、ロール紙Ｒ１の本体Ｒ２を軸支する支持部材３３と、この支持部材３３をロール紙収容部４に向けて押圧する弾性部材３５と、この弾性部材３５が長手方向に沿って圧縮されることで発現される復元弾性力によって、内側ケース１６に形成された保持枠３１の内部から弾性部材３５が飛出されることを防止する蓋３７とを備えるものである。
【０１７２】
このように、保持部３０に、支持部材３３と、弾性部材３５と、蓋３７と、これらを収容する保持枠３１とが備えられることで、略円錐状をした先端部３３ａが設けられた支持部材３３は、プリンタ１の左右幅方向、すなわち、図５(a) の如く、プリンタ１に取付けられたロール紙Ｒ１の本体Ｒ２の中空孔Ｒ３を挿通する方向に沿って、進退自在に可動されることとなる。
【０１７３】
一対の支持部材３３の略円錐状をした先端部３３ａが、ロール紙Ｒ１の本体Ｒ２に設けられた中空孔Ｒ３の両側から、この中空孔Ｒ３内に向けて可動されつつ入り込むことで、ロール紙Ｒ１の本体Ｒ２は、保持部３０を構成する一対の支持部材３３に軸支されることとなる。
【０１７４】
また、ロール紙Ｒ１の本体Ｒ２を軸支する支持部材３３の先端部３３ａと、ロール紙Ｒ１の本体Ｒ２に設けられた中空孔Ｒ３とが、良好に回転摺接されるために、支持部材３３は、機械的強度、摺動性、耐摩耗性、耐疲労性、寸法安定性、成形加工性に優れるポリアセタール樹脂（ＰＯＭ）が用いられて形成されたものである。
【０１７５】
また、保持部３０を構成する保持枠３１の内部に収容された弾性部材３５が、この弾性部材３５の長手方向に沿って圧縮されることで発現される復元弾性力により、保持枠３１に圧入嵌合された蓋３７を押圧し、このようなことから、この蓋３７が、保持枠３１から不用意に押し外されることを防止するために、このプリンタ１においては、一対の保持枠３１の外側に取付けられた二つの蓋３７に対応して、表側ケース１４の内部に向けて一対の押圧リブ１４ｅが突出形成され、保持部３０を構成する前記二つの蓋３７と、表側ケース１４に設けられた前記一対の押圧リブ１４ｅとが当接されるように為されたものである。
【０１７６】
このようにすることで、保持部３０を構成する保持枠３１の内部に備えられた弾性部材３５の前記復元弾性力により、保持部３０を構成する保持枠３１から、蓋３７と、弾性部材３５と、支持部材３３とが、不用意に分解されてしまうといった不具合の発生は、未然に防止されることとなる。
【０１７７】
図６(b) の如く、カバー２０を形成する本体２４は、前壁２４ｂと、この前壁２４ｂの両側に形成された一対の側壁２４ａ（図５(a) ）とを備えるものである。カバー２０の前壁２４ｂは、ロール紙Ｒ１の本体Ｒ２に対応して略湾曲状に形成された円弧部２４ｃと、この円弧部２４ｃに続く平板部２４ｄと、この平板部２４ｄに延長形成された用紙取出部６を構成する湾曲状段部２４ｅと、この湾曲状段部２４ｅから延長形成され同じく用紙取出部６を構成する傾斜部２４ｆと、この傾斜部２４ｆの先端に設けられた爪２４ｇとを備えるものである。
【０１７８】
傾斜部２４ｆの先端に設けられた爪２４ｇは、図３および図５(b) の如く、プリンタ１にロール紙Ｒ１が補充された際に、ロール紙Ｒ１の先端Ｒ６が印刷部５を経由してプリンタ１の外部へ送出される時に、ロール紙Ｒ１の先端Ｒ６が回転するローラ５０に巻込まれることを防止するために、カバー２０の前壁２４ｂを形成する傾斜部２４ｆの先端に設けられたものである。
【０１７９】
また、図５(b) の如く、このカバー２０は、印刷部５に含まれるローラ５０を備えるものである。図３，図５(b) ，図６(b) の如く、このローラ５０は、カバー２０の本体２４に構成された取付支持部２８を介して、カバー２０に取付けられている。カバー２０を形成する前壁２４ｂの円弧部２４ｃと、この円弧部２４ｃ周辺に設けられた一対の側壁２４ａとによって囲まれた空間が、カバー２０側のロール紙収容部２５とされる。
【０１８０】
また、カバー２０と、プリンタ本体２に設けられた保持部３０とが、互いに干渉されて、プリンタ本体２に対し、カバー２０が閉まらないといった不具合の発生を防止するために、図５および図６の如く、カバー２０を形成する一対の側壁２４ａに、円弧状をした逃げ部２４ｈが設けられている。
【０１８１】
カバー２０がプリンタ本体２に容易で迅速に取付けられるために、図６の如く、カバー２０を形成する本体２４の側壁２４ａから一対の可撓性アーム２３が延長形成されており、この可撓性アーム２３の根元２３ａから先端までの略中間部分に、略直角に曲げられた折れ部２３ｂが形成されている。また、可撓性アーム２３の先端に円柱状をした支軸２１が突設されている。この支軸２１は、一対の可撓性アーム２３の外側に向けて形成されたものである。
【０１８２】
さらに、可撓性アーム２３の先端に設けられた支軸２１と、可撓性アーム２３の略中間部分に設けられた折れ部２３ｂとの間に、円柱状をした突部２２が形成されている。前記支軸２１と同じく、この突部２２も一対の可撓性アーム２３の外側に向けて形成されたものである。図６の如く、カバー２０の可撓性アーム２３に設けられた突部２２は、ケース１０に対してカバー２０が開けられた状態に維持可能とされる係止部２２として設けられたものである。可撓性アーム２３に突設された前記突部２２は、可撓性アーム２３の先端に突設された前記支軸２１の突出高さと比べて、この支軸２１の約半分程度の突出高さに形成されたものである。
【０１８３】
また、図５および図６の如く、カバー２０の可撓性アーム２３に設けられた突部２２に対応して、内側ケース１６を形成する一対の側壁１６ａの内側に「へこみ部」１２が設けられている。図５(b) および図６の如く、この「へこみ部」１２は、内側ケース１６を形成する一対の側壁１６ａの内面１６ａ1(図６(a))と平行に設けられた摺接面１２ａと、この摺接面１２ａから前記側壁１６ａの内面１６ａ1 へと続く傾斜摺接面１２ｂとを備え、図６の如く、「へこみ部」１２は、ケース１０に対してカバー２０が開けられた状態に維持可能とされる係合部１２として設けられたものである。
【０１８４】
図５(b) および図６の如く、一対の可撓性アーム２３の先端に、これらの外側に向けられた円柱状支軸２１が突設されていることから、内側ケース１６を形成する一対の側壁１６ａの円筒状軸孔１１に、カバー２０に突設された一対の可撓性アーム２３の円柱状支軸２１が嵌め込まれて、一対の可撓性アーム２３を備えるカバー２０が、プリンタ本体２に内装された内側ケース１６に取付けられる際に、カバー２０に突設された一対の可撓性アーム２３は、互いに内側に向けて撓まされることとなる。
【０１８５】
その際に、カバー２０に突設された一対の可撓性アーム２３が、根元２３ａから破損されることを防止するために、内側ケース１６を形成する一対の側壁１６ａの内側に設けられた「へこみ部」１２は、カバー２０の可撓性アーム２３の先端に突設された円柱状支軸２１が、内側ケース１６の側壁１６ａに設けられた円筒状軸孔１１まで導かれるための案内溝を兼ねたものとして形成されたものである。
【０１８６】
このようにして、カバー２０の可撓性アーム２３の先端に突設された円柱状支軸２１が、内側ケース１６の側壁１６ａに設けられた円筒状軸孔１１に嵌め込まれる際に、可撓性アーム２３の円柱状支軸２１が、内側ケース１６を形成する一対の側壁１６ａ内側の「へこみ部」１２内を通過して、内側ケース１６の側壁１６ａの円筒状軸孔１１に入り込まれるようにすれば、カバー２０は、プリンタ本体２に内装された内側ケース１６に、容易で迅速に取付けられることとなる。
【０１８７】
また、図７に示されるロール紙Ｒ１が、図６に示されるプリンタ本体２の開口３から、ロール紙収容部４内へ装着されて、プリンタ本体２にロール紙Ｒ１が取付けられる。その後、ロール紙Ｒ１が取付けられたプリンタ本体２に対し、支軸２１を中心にカバー２０が下側に向けて回動されてカバー２０が閉じられることで、図５の如く、プリンタ１へのロール紙Ｒ１の取付作業が終了される。
【０１８８】
プリンタ本体２に開閉可能に取付けられたカバー２０が、プリンタ本体２に対して閉められた状態において、カバー２０を形成する一対の可撓性アーム２３の外側に向けて上記突部２２が設けられてあることにより、前記突部２２の先端と、プリンタ本体２に内装された内側ケース１６を形成する一対の側壁１６ａの内面１６ａ1 とが当接されることとなる。
【０１８９】
このことから、プリンタ本体２に開閉可能に取付けられたカバー２０が、プリンタ本体２に対して閉められた状態において、カバー２０に突設された一対の可撓性アーム２３は、互いに内側に向けてやや撓まされ、これにより、一対の可撓性アーム２３に復元弾性力が発現された状態で、カバー２０はプリンタ本体２に対し閉められた状態に維持されることとなる（図５(b) ）。
【０１９０】
このような状態で、プリンタ本体２に対しカバー２０は閉められた状態とされるが、図６(a) の如く、前記可撓性アーム２３に突設された前記突部２２は、この可撓性アーム２３の先端に突設された上記支軸２１の突出高さと比べて、この支軸２１の約半分程度の突出高さに形成されたものであるから、一対の可撓性アーム２３の先端外側に突設された前記支軸２１が、プリンタ本体２の内側ケース１６を形成する一対の側壁１６ａの軸孔１１から、不用意に外れるということはない。
【０１９１】
プリンタ本体２に内装された内側ケース１６の側壁１６ａの軸孔１１から、カバー２０に設けられた可撓性アーム２３の支軸２１が外れ難いものとされるために、一対の可撓性アーム２３の外側に向けて突設された突部２２は、この可撓性アーム２３の先端外側に突設された支軸２１の突出高さと比べて、この支軸２１の約半分程度もしくは半分以下の突出高さに形成されることが好ましい。
【０１９２】
プリンタ本体２に対してカバー２０が開けられる際には、図５(b) に示されるプリンタ本体２に対し、支軸２１を中心にカバー２０が上側に向けて回動されることで、図６(b) の如く、プリンタ本体２に対しカバー２０が開けられることとなる。その際に、一対の可撓性アーム２３に内在されてあった上記復元弾性力により、カバー２０に突設された一対の可撓性アーム２３の突部２２は、プリンタ本体２に内装された内側ケース１６を形成する一対の側壁１６ａの「へこみ部」１２に嵌め合されることとなる。これにより、プリンタ本体２に対し、カバー２０は上側に向けて開けられた状態に維持されることとなる。
【０１９３】
プリンタ本体２に対し、再びカバー２０を閉じる場合は、上述の如く、プリンタ本体２に対し、支軸２１を中心にカバー２０が下側に向けて回動されることで、図５の如く、プリンタ本体２に対し、カバー２０は閉じられることとなる。
【０１９４】
プリンタ本体２に回動可能に取付けられたカバー２０が、プリンタ本体２に対して閉められた状態において、プリンタ１に装着されたロール紙Ｒ１の残量確認が容易に行われることができ、且つ、プリンタ本体２に内装された光センサ４０が太陽光によって過敏に反応されないようにし、しかも、紫外線や赤外線などを含む太陽光線によりロール紙Ｒ１が変色されてしまうことを防止するために、カバー２０は、黒色系半透明をした可撓性合成樹脂材が用いられて形成されている。
【０１９５】
そのような可撓性合成樹脂の基材として、例えば、ポリカーボネート樹脂（ＰＣ）が挙げられ、図３，図５，図６，図８に示されるカバー２０は、黒色系着色剤が添加されたポリカーボネート樹脂（ＰＣ）が用いられて形成されたものである。ポリカーボネート樹脂（ＰＣ）は、上述の如く、透明性といった光学的性質に優れ、また、耐衝撃性、電気絶縁性、耐熱性、成形加工性に優れるものである。
【０１９６】
黒色系着色剤として、例えば、炭素系粉末などが挙げられる。前記ポリカーボネート樹脂（ＰＣ）に添加された黒色系着色剤として、炭素系粉末が用いられ、具体的には、耐光性、着色性、熱安定性、耐候性に優れるカーボンブラックが用いられた。カーボンブラックは、さらに安定剤としての役割も果し、しかも安価なものである。また、ポリカーボネート樹脂（ＰＣ）にカーボンブラックを配合するといった組合せも、樹脂成形体に悪影響を及ぼさない好ましい組合せのものとされている。
【０１９７】
プリンタ本体２に開閉自在に取付けられたカバー２０が、プリンタ本体２に対して閉められた状態において、黒色系半透明をしたカバー２０の側壁２４ａ側から、プリンタ１に装着されたロール紙Ｒ１の残量確認が、一目で容易にしかも迅速に行われることが可能とされるために、図５の如く、カバー２０を形成する一対の側壁２４ａの厚さは、カバー２０を形成する前壁２４ｂの厚さよりも薄く形成されている。
【０１９８】
これにより、黒色系半透明をしたカバー２０を形成する一対の側壁２４ａの透明度は、カバー２０を形成する前壁２４ｂの透明度よりも高いものとなり、プリンタ本体２に開閉自在に取付けられたカバー２０が、プリンタ本体２に対して閉められた状態において、カバー２０の側壁２４ａ側から、カバー２０の内部に位置するロール紙Ｒ１の残量が透けてよく見えることとなる。
【０１９９】
プリンタ１に装着されたロール紙Ｒ１の残量確認が、容易に行われるようにするために、例えば、合成樹脂に添加される黒色系着色剤の充填量を減らして、カバー全体の光透過率が高くされた黒色系半透明のカバーを形成するといった手法も考えられる。しかしながら、このようなカバーであると、光透過率が高くされたことにより、プリンタ本体２に内装された光センサ４０が、太陽光によって過敏に反応され易くなり、このことからプリンタに誤作動が生じることや、紫外線や赤外線などを含む太陽光線により、ロール紙Ｒ１が変色され易くなるといったことが心配されていた。
【０２００】
これに対し、図３，図５，図６，図８に示されたプリンタ１のカバー２０においては、カバー２０を形成する前壁２４ｂの厚さは、これまでの通りの厚さとされつつ、カバー２０を形成する前壁２４ｂの厚さよりも、カバー２０を形成する一対の側壁２４ａの厚さのほうが、薄く形成されたものであるから（図５）、太陽光による光センサ４０の誤作動や、太陽光線によりロール紙Ｒ１が変色されるといったことは抑えられ、また、カバー２０の本体２４の機械的強度が極端に低下されるということもなく、閉じた状態のカバー２０の側壁２４ａ側から、プリンタ１に装着されたロール紙Ｒ１の残量確認が、一目で容易にしかも迅速に行われることとなる。
【０２０１】
図７の如く、このロール紙Ｒ１は、長尺状をした一枚の用紙の外側面Ｒ５に、この長尺状をした用紙の内側面Ｒ４が重ねられるようにして、前記用紙が連続して円筒状に巻かれることで、ロール紙Ｒ１の本体Ｒ２が形成されたものである。このようにして、ロール紙Ｒ１の本体Ｒ２は、中空孔Ｒ３を備える円筒物として形成されている。また、このロール紙Ｒ１は、印字用の薬品面が内側面Ｒ４となるように形成されたものである。
【０２０２】
前記ロール紙Ｒ１が、プリンタ１に取付けられて、印刷可能な状態にセットされるまでの過程について説明する。
図７に示されるロール紙Ｒ１が、図６に示されるプリンタ本体２の開口３から、ロール紙収容部４内へ装着されて、プリンタ本体２にロール紙Ｒ１が取付けられる。その際に、図５に示されるカバー２０が開けられた状態において、内側ケース１６の一対の他の側壁に設けられた保持部３０を構成する支持部材３３に、ロール紙Ｒ１の本体Ｒ２に設けられた中空孔Ｒ３が嵌め込まれて、プリンタ本体２に内装された内側ケース１６にロール紙Ｒ１の本体Ｒ２が取付けられる。
【０２０３】
次に、図５(b) において、ロール紙Ｒ１の本体Ｒ２は、時計の針の回転方向と逆の方向すなわち反時計方向に回動されて、カバー２０の前壁２４ｂ側に向けてロール紙Ｒ１の先端Ｒ６（図７）が引出される。
【０２０４】
次いで、ロール紙Ｒ１は、光センサ４０（図５(b) ）が遮光されるように光センサ４０の前側に通される。光センサ４０は、用紙検知手段として用いられたものである。その後、ロール紙Ｒ１の外側面Ｒ５がローラ５０の外周面５０ａに当接されると共に、ロール紙Ｒ１の内側面Ｒ４が印字ヘッド６０に当接されて、ロール紙Ｒ１は印刷部５を通過することとなる。
【０２０５】
その際に、ロール紙Ｒ１の内側面Ｒ４に向けて付けられていた「湾曲くせ」は、略修正されることとなる。このようにして、長尺状をしたロール紙Ｒ１は、印字ヘッド６０と、ローラ５０との間に挟まれつつ、これを切取るカッタ７０の刃７１に向けて略平面状に移動されて、ロール紙Ｒ１の先端Ｒ６は、プリンタ１の用紙取出口６からプリンタ１の外部へと送出されることとなる。
【０２０６】
その後、ロール紙Ｒ１が取付けられたプリンタ本体２に対し、支軸２１を中心にカバー２０が下側に向けて回動されてカバー２０が閉じられることで、図５(b) の如く、ロール紙Ｒ１は、印刷可能な状態でプリンタ１へセットされる。
【０２０７】
ロール紙Ｒ１が容易で迅速にプリンタ本体２に取付けられるために、図５の如く、ロール紙Ｒ１の本体Ｒ２に設けられた中空孔Ｒ３と、このロール紙Ｒ１を支持するプリンタ本体２の支持部材３３との間に、隙間がもたされている。しかしながら、前記隙間が設けられたことにより、前記ロール紙Ｒ１は、「芯ずれ」が生じた状態で、上記保持部３０を構成する上記支持部材３３に軸支されることとなる。
【０２０８】
図１２に示される従来のプリンタ５０１においても、ロール紙Ｒ５０１の本体Ｒ５０２に設けられた中空孔Ｒ５０３と、ロール紙Ｒ５０１を支持する心棒５３３との間に、隙間がもたされてあるから、ロール紙Ｒ５０１は、「芯ずれ」を起した状態で心棒５３３に支持されることとなる。
【０２０９】
そして、新品のロール紙Ｒ５０１がプリンタ５０１に装着された当初において、そのような状態で、プリンタ本体５０２に対しカバー５２０が閉じられると、カバー５２０の本体５２４を形成する前壁５２４ｂの円弧部５２４ｃの内側面と、ロール紙Ｒ５０１の本体Ｒ５０２の外側面Ｒ５０４とが摺接され、このことから、両者の間に大きな摩擦が生じ、ローラ５５０や、このローラ５５０を駆動させる小型モータ６９０（図１１）や歯車（図示せず）に、大きな負荷がかかることとなる。
【０２１０】
これに対し、図５および図６に示されたプリンタ１においては、カバー２０の本体２４を形成する前壁２４ｂの円弧部２４ｃに、複数の摺接リブ２６が設けられている。複数の摺接リブ２６は、カバー２０の円弧部２４ｃに沿って、この円弧部２４ｃの内側に突設されたものである。また、図５(a) の如く、複数の前記摺接リブ２６は、カバー２０の円弧部２４ｃの内側に、プリンタ１の左右幅方向すなわちプリンタ１に取付けられたロール紙Ｒ１の本体Ｒ２の中空孔Ｒ３を挿通する方向に沿って、間隔をおいて並設されたものである。
【０２１１】
また、複数の摺接リブ２６と、ロール紙Ｒ１とが擦れ合される際に、複数の摺接リブ２６によってロール紙Ｒ１に傷が付けられることのないように、図５(b) および図６(b) の如く、カバー２０に設けられた複数の摺接リブ２６は、緩やかな曲部として形成された始端２６ａから、カバー２０の円弧部２４ｃに沿って、緩やかな曲部として形成された終端２６ｂにかけて突出形成されたものである。
【０２１２】
図５の如く、新品のロール紙Ｒ１がプリンタ１に装着された当初において、ロール紙Ｒ１を形成する本体Ｒ２の外側面Ｒ５と、カバー２０の円弧部２４ｃの内側に突設された摺接リブ２６とが擦れ合いながら、ロール紙Ｒ１は回転されることとなる。カバー２０の円弧部２４ｃの内側に突設された複数の摺接リブ２６と、ロール紙Ｒ１を形成する本体Ｒ２の外側面Ｒ５との接触面積は小さいから、両者が摺接される際の摩擦も小さいものとされ、ローラ５０にかかる負荷や、このローラ５０を駆動させる小型モータ１９０（図３）や歯車（図示せず）にかかる負荷は、軽微なものとされる。
【０２１３】
図５の如く、ロール紙Ｒ１を形成する本体Ｒ２の外側面Ｒ５と、合成樹脂製カバー２０の円弧部２４ｃの内側に突設された摺接リブ２６とが擦れ合う際に、ロール紙Ｒ１に静電気が発生される。このようにして発生された静電気は、上述した如く、ロール紙Ｒ１と当接する上記ばね付カッタ７０（図３）を介した後に、上記スイッチ基板１００に設けられたグランドライン１０７（図４）を経て、上記ＰＣＢ用コネクタ１３０を通過し、上記フレキシブルフラット回路体（ＦＦＣ）１４０を経由した後に、ワイヤハーネス（図示せず）のアース線を伝わって、速やかに金属製の車体（図示せず）へと逃されることとなる。
【０２１４】
また、図３，図５(b) ，図６(b) の如く、カバー２０の本体２４を形成する前壁２４ｂの平板部２４ｄに、複数のガイドリブ２７が設けられている。この複数のガイドリブ２７は、カバー２０の平板部２４ｄからカバー２０の内側に向けて略直角に突設されたものである。
【０２１５】
また、複数の前記ガイドリブ２７は、カバー２０の平板部２４ｄの左右幅方向に沿って、間隔をおいて並設されたものである。複数のガイドリブ２７の間に、各ガイドリブ２７間を連結して複数のガイドリブ２７の強度を向上させる補強板２７ｃが、カバー２０の左右幅方向に沿って、カバー２０の平板部２４ｄからカバー２０の内側に向けて略直角に突設されている。
【０２１６】
図３，図５(b) ，図６(b) の如く、複数のガイドリブ２７と、ロール紙Ｒ１とが摺接される際に、複数のガイドリブ２７の角部２７ａ，２７ｂによってロール紙Ｒ１に傷が付けられることのないものとされるために、カバー２０の平板部２４ｄに突設された複数のガイドリブ２７の角部２７ａ，２７ｂは、緩やかな曲部として形成されている。
【０２１７】
このような形状をした複数のガイドリブ２７が、カバー２０の平板部２４ｄからカバー２０の内側に向けて略直角に突設されると共に、プリンタ本体２に対してカバー２０が閉じられた際に、カバー２０に設けられた複数のガイドリブ２７と、ロール紙Ｒ１とが摺接されるプリンタ１とすれば、ロール紙Ｒ１に印刷が行われる際に、ロール紙Ｒ１はガイドリブ２７に案内されることとなるから、ロール紙Ｒ１が折曲げられるなどされてロール紙Ｒ１に「しわ」が付くといった不具合の発生は、未然に防止されることとなる。
【０２１８】
これについて詳しく説明すると、自動車の走行中において、自動車に取付けられた図１２のタクシープリンタ５０１に振動が加えられ、この振動によって、プリンタ５０１内に装着されたロール紙Ｒ５０１に緩みが生じ、そのようなロール紙Ｒ５０１が、ローラ５５０と、印字ヘッド５６０とによって挟持されて印刷が行われる際に、印刷部５０５を通過するロール紙Ｒ５０１が、ローラ５５０と、印字ヘッド５６０との間に偏って挟持され、このことからロール紙Ｒ５０１が折曲げられるなどされて、ロール紙Ｒ５０１に「しわ」が付いてしまうといった不具合の発生が心配されていた。
【０２１９】
しかしながら、図６(b) の如く、複数の前記ガイドリブ２７が、カバー２０の平板部２４ｄからカバー２０の内側に向けて略直角に突設されると共に、図３および図５(b) の如く、プリンタ本体２に対してカバー２０が閉じられた際に、カバー２０に設けられた複数のガイドリブ２７と、ロール紙Ｒ１とが摺接されるプリンタ１であれば、ロール紙Ｒ１はガイドリブ２７に案内されることとなるから、前記不具合の発生は未然に防止されることとなる。
【０２２０】
また、プリンタ本体２を構成するケース１０に、ロール紙Ｒ１を覆うカバー２０が取付けられ、このカバー２０にロール紙Ｒ１の外側面Ｒ５が摺接される複数の前記ガイドリブ２７が形成されると共に、プリンタ本体２に対してカバー２０が閉じられた際に、カバー２０に設けられた複数の前記ガイドリブ２７と、ロール紙Ｒ１の外側面Ｒ５とが摺接されるようにすれば、ロール紙Ｒ１の外側面Ｒ５は、カバー２０に形成された複数の前記ガイドリブ２７の曲線状をした角部２７ａと摺接されつつ、このガイドリブ２７の曲線状をした角部２７ａに沿って曲げられることとなる。
【０２２１】
これにより、内側面Ｒ４に向けて湾曲されていたロール紙Ｒ１は、これと反対の方向とされるロール紙Ｒ１の外側面Ｒ５に向けて曲げられることとなる。従って、ロール紙Ｒ１の内側面Ｒ４に向けて付けられてあった「湾曲くせ」は、より修正されるものとなる。
【０２２２】
合成樹脂製カバー２０に設けられた複数のガイドリブ２７と、ロール紙Ｒ１の外側面Ｒ５とが摺接される際に、ロール紙Ｒ１に静電気が発生される。このようにして発生された静電気は、上述した如く、ロール紙Ｒ１と当接する上記ばね付カッタ７０（図３）を介した後に、上記スイッチ基板１００に設けられたグランドライン１０７（図４）を経て、上記ＰＣＢ用コネクタ１３０を通過し、上記フレキシブルフラット回路体（ＦＦＣ）１４０を経由した後に、ワイヤハーネス（図示せず）のアース線を伝わって、速やかに金属製の車体（図示せず）へと逃されることとなる。
【０２２３】
図５(b) の如く、プリンタ１に備えられた印刷部５を構成するローラ５０の回転方向に対し、プリンタ本体２の保持部３０に支持されたロール紙Ｒ１の本体Ｒ２は、逆の方向に回転される。
【０２２４】
具体的に説明すると、図５(b) に示されるプリンタ１の縦断面図において、印刷部５を構成するローラ５０は、ロール紙Ｒ１を介して、印字ヘッド６０を押圧しつつ時計方向に回転され、これにより、ローラ５０と、印字ヘッド６０とに挟持された長尺状のロール紙Ｒ１は、プリンタ１の用紙取出口６へ向けて送られることとなる。
【０２２５】
そして、これに伴って、長尺状の用紙が連続して円筒状に巻かれることで形成されたロール紙Ｒ１の本体Ｒ２は、反時計方向に回転されることとなる。すなわち、ローラ５０の回転方向と、ロール紙Ｒ１の本体Ｒ２の回転方向とは、互いに反対方向で回転されることとなる。
【０２２６】
このようにするためには、ローラ５０の回転方向に対し、ロール紙Ｒ１の本体Ｒ２が逆の方向に回転されるように、プリンタ１にロール紙Ｒ１の本体Ｒ２が取付けられればよい。従って、ロール紙Ｒ１の質や、プリンタ１の大幅な設計変更が行われることなく、ロール紙Ｒ１の「湾曲くせ」が修正されることとなる。また、プリンタ１の大幅な設計変更が必要とされないことから、プリンタ１の変更に伴う労力や費用が削減化されることとなる。
【０２２７】
プリンタ１にセットされたロール紙Ｒ１に印刷が行われる状態について、図１〜図５，図８と共に説明する。
図１，図３，図８に示されるプリンタ本体２に対し、指などによって、図２の如く、領収書の発行ボタン８１の湾曲面状厚肉部８１ｅが押される。その際に、領収書の発行ボタン８１は、スペーサ９０を形成する周壁９０ａの上部９１ｃであって、且つ、スペーサ９０の前面９１ａに突設された支点９９の先端部を中心として、プリンタ本体２の内側に向けて押圧される。
【０２２８】
また、この時に、領収書の発行ボタン８１は、この発行ボタン８１と、スペーサ９０との間に装着され、且つ、発行ボタン８１の後面８１ｂから、この発行ボタン８１をプリンタ本体２の外側に向けて押接する金属製カッタ７０の「ばね部」７８I の復元弾性力に抗して、プリンタ本体２の内側に向けて押圧される。
【０２２９】
これと共に、発行ボタン８１のフランジ８１ｆI の下部８１ｄによって、この発行ボタン８１の後面８１ｂに、当接または僅かな隙間がもたされて配設されたタクトスイッチ１１０の可動部１１８（図１，図３）が、図２の如く、このタクトスイッチ１１０を構成する本体１１５の内部に向けて押圧されることとなる。これにより、タクトスイッチ１１０内において、電気的な接触が行われ、タクトスイッチ１１０から電気信号が送られると共に、各電気回路において信号が処理される。
【０２３０】
その際に、プリンタ本体２を構成する表側ケース１４に対して、例えば、１Ｎといった過大な押付力Ｆが発行ボタン８１に加えられて、プリンタに動作指示が与えられた場合であっても、タクトスイッチ１１０（図４）が収納される収容部９２II が設けられたスペーサ９０に、発行ボタン８１の押付を停止させる一対のストッパ部９５I が形成されてあるから、この一対のストッパ部９５I によって、タクトスイッチ１１０に加えられる押付力は制限されることとなる。
【０２３１】
その後、プリンタ１に内装された小型モータ１９０（図３）が駆動されて、図３および図５(b) に示されるローラ５０が回転されることとなる。カバー２０に取付けられたローラ５０によって、ロール紙Ｒ１は印字ヘッド６０に向けて押圧され、ローラ５０が回転されつつ印字ヘッド６０によってロール紙Ｒ１の内側面Ｒ４に印刷が行われると共に、ローラ５０の回転により、ロール紙Ｒ１は、プリンタ１の用紙取出口６からプリンタ１の外部へと送出される。
【０２３２】
そして、プリンタ１の用紙取出口６からプリンタ１の外部へと送出された長尺状のロール紙Ｒ１は、図３の如く、カッタ７０の刃７１に当接されて切取られることにより、紙片すなわち領収書とされる。このようにして、タクシープリンタ１から領収書が発行される。
【０２３３】
図１２(b) に示される従来のプリンタ５０１によって印刷されたロール紙Ｒ５０１に比べ、図５(b) に示されるプリンタ１によって印刷されたロール紙Ｒ１は、「湾曲くせ」が修正されたものとなっている。このように、図５(b) に示されるタクシープリンタ１が用いられて発行される領収書は、従来のタクシープリンタ５０１が用いられて発行される領収書に比べて、「湾曲くせ」が矯正されたものとなる。
【０２３４】
上記プリンタ１が取付けられるインストルメントパネル４００について、図８と共に説明する。インストルメントは計器を指し、パネルは制御盤を意味し、このようなことから、インストルメントパネルとは計器盤を指す。インストルメントパネルは、ダッシュボード、ダッシュパネルとも呼ばれるものである。また、インストルメントパネルは、「インパネ」と略して呼ばれることが多い。
【０２３５】
インストルメントパネルは、その殆どのものが合成樹脂製の成形品として形成されたものである。また、インストルメントパネルは、メータ類やスイッチが収められる部分のみならず、オーディオシステムやエアコンユニットなどが収容される部分を含めたものをいう。衝撃などが吸収され易くするために、インストルメントパネルは、芯材がパッドで覆われるなどされて複数の層から構成され、このようなものが、インストルメントパネルとして多く用いられている。
【０２３６】
図８に示されるインストルメントパネル４００は、メータユニットが組付けられるメータ取付部４１０と、センタクラスタユニット３００が収容される中央取付部４３０と、エアバッグユニットが内装される収容部を覆うカバー４５０などを備えるものである。また、センタクラスタユニット３００は、流量調整用のフィンが取付けられたエアコン用空気吹出口３１０と、カーラジオ３３０と、カーステレオ３５０などを備えるものである。
【０２３７】
このようなインストルメントパネル４００に、表示部が設けられたタクシーメータ２００が備えられてあるから、タクシーの運転手と、タクシーの乗客とは、一目で容易に走行中もしくは走行後の運賃内容を認識することができる。また、前記タクシーメータ２００と共に、前記インストルメントパネル４００に、上記タクシープリンタ１が備えられてあるから、タクシーの運転手が、乗客に対して、運賃に相当する料金の請求および受取作業を行った後に、乗客からタクシーの運転手に料金が支払われたことを証明する領収書の発行は、容易で迅速に行われることとなる。
【０２３８】
その際に、上述した本発明のスイッチの取付構造がタクシーメータ２００と共用されるプリンタ１に適用されてあるから、例えば、図２の如く、力の強いタクシーの運転手によって、不用意に１Ｎといった過大な押付力Ｆが領収書の発行ボタン８１に加えられ、そのような過大な押付力が、発行ボタン８１に対応したタクトスイッチ１１０に加えられようとされることがあっても、タクトスイッチ１１０が収納される収容部９２II が設けられたスペーサ９０に、発行ボタン８１の押付を停止させる一対のストッパ部９５I が形成されてあるから、発行ボタン８１のフランジ８１ｆI の下部８１ｄが一対のストッパ部９５I に当接される。
【０２３９】
これにより、タクトスイッチ１１０に加えられる押付力は制限されることとなる。従って、過大な押付力に起因したタクトスイッチ１１０の破損を未然に防止することが可能となる。
【０２４０】
本発明に係るスイッチの取付構造について、タクシーメータ２００（図８）に表示された運賃が印刷されるといった縦型のタクシーメータ用プリンタ１を一例に挙げて説明したが、本発明のスイッチの取付構造は、上記感熱ヘッド６０を備えるタクシーメータ用プリンタ１に限らず、縦形プリンタまたは横形プリンタや、また、他の印刷方式のプリンタに適用されてもよく、本発明のスイッチの取付構造は、あらゆる形態のプリンタや、その他のものに展開可能とされるものである。
【０２４１】
【発明の効果】
以上の如く、請求項１記載の発明によれば、操作ボタンに過大な押付力が加えられた場合であっても、スイッチが収納される収容部が設けられたスペーサに、操作ボタンの押付を停止させるストッパ部が形成されてあるから、ストッパ部によって、スイッチに加えられる押付力は制限されることとなる。従って、スペーサの収容部に収納されたスイッチは、操作ボタンに加えられる過大な押付力から守られることとなる。これにより、操作ボタンに加えられる過大な押付力によって、スイッチが破損されてしまうといった不具合の発生を、未然に防止させることが可能となる。
また、操作ボタンは、ガタつきなどが抑えられつつ、弾性復帰可能な状態で、ケースに組付けられることとなる。即ち、操作ボタンと、カッタと、スペーサと、基板とが、ケースに組付けられ、基板がケースに固定されることで、操作ボタンにカッタの弾性部が押接され、これにより、操作ボタンは、ケースの内側から外側に向けて弾性復帰可能な状態で、ケースに組付けられることとなる。従って、ケースに対して、操作ボタンが押される際の操作フィーリングは、良好なものとなる。
【０２４２】
請求項２記載の発明によれば、操作ボタンの押付を停止させるストッパ部が、突部としてスペーサの前面に形成されてあるから、必要以上にスペーサが大型化されるということはなく、突部が設けられたスペーサの大きさは、突部が設けられていないスペーサの大きさと、略同じ大きさのものとされる。従って、スペーサにストッパ部が形成されることで、大幅な設計変更が必要とされるといったことは回避され、操作ボタンの押付を停止させる突部を、容易にスペーサに形成させることができる。
【０２４３】
請求項３記載の発明によれば、一つの操作ボタンが押圧された際に、この一つの操作ボタンは、これに対応してスペーサに形成された一対のストッパ部と当接されることとなる。従って、操作ボタンが、ぐらつくなどといった不安定な状態で、スペーサのストッパ部に当接されて、操作ボタンの押付が停止されるといったことは回避され、操作ボタンの押付を安定した状態で停止させることが可能となる。
【０２４４】
請求項４記載の発明によれば、スペーサに形成された操作ボタンの押付を停止させるストッパ部は、操作ボタンの押付に対して好ましい停止位置に並設されてあるから、複数の操作ボタンのうち、何れの操作ボタンが押圧されても、操作ボタンの停止位置がバラつくということはない。従って、複数の操作ボタンのうち、何れの操作ボタンが押圧されても、何れも略均一な状態で操作ボタンを停止させることができる。
【０２４５】
請求項５記載の発明によれば、ケースに対する操作ボタンの取付位置に対応して、ケース内にスイッチが位置することとなる。従って、ケースに対して操作ボタンが押圧されると、この操作ボタンの押付に伴って、スイッチも確実に押圧されることとなる。また、ケースに取付けられた操作ボタンの後側であって、且つ、ケース内に基板が固定されると、基板の前側に装着されたスイッチと、ケースに取付けられた操作ボタンとの位置関係が、略一致することとなる。従って、操作ボタンに対するスイッチの位置決めを、容易で迅速に行うことが可能となる。
【０２４６】
請求項６記載の発明によれば、照明から発せられる光は、照明を取囲む白色をしたスペーサによって反射され易くなり、照明から発せられる光と、照明を取囲む白色をしたスペーサによって反射された光とが、操作ボタンに当てられることによって、操作ボタンは、より明るく照らし出されることとなる。
【０２４８】
請求項７記載の発明によれば、力の強いタクシーの運転手によって、不用意に過大な押付力が操作ボタンに加えられ、そのような過大な押付力がスイッチに加えられようとされることがあっても、スイッチの破損は未然に防止されるものとなる。
【図面の簡単な説明】
【図１】本発明に係るスイッチの取付構造の一実施形態を示す縦断面図である。
【図２】同じくスイッチが押された状態を示す縦断面図である。
【図３】プリンタ本体に設けられた操作部とプリンタユニットとを示す縦断面図である。
【図４】スイッチの取付構造を示す分解斜視図である。
【図５】プリンタ本体にロール紙が取付けられ、プリンタ本体に対しカバーが閉められた状態を示す断面図である。
(a)は (b)のＡ−Ａ断面図である。
(b)はプリンタ本体とカバーとロール紙とを示す縦断面図である。
【図６】プリンタ本体にカバーが組付けられ、プリンタ本体に対しカバーが開けられた状態を示す断面図である。   (a)は (b)のＢ−Ｂ断面図である。
(b)はプリンタ本体とカバーとを示す縦断面図である。
【図７】ロール紙を示す斜視図である。
【図８】自動車のインストルメントパネルにプリンタが取付けられた状態を示す説明図である。
【図９】従来のスイッチの取付構造に関する一形態を示す縦断面図である。
【図１０】同じく従来のスイッチが押された状態を示す縦断面図である。
【図１１】従来のプリンタ本体に設けられた操作部とプリンタユニットとを示す縦断面図である。
【図１２】従来のプリンタ本体にロール紙が取付けられ、プリンタ本体に対しカバーが閉められた状態を示す断面図である。
(a)は (b)のＣ−Ｃ断面図である。
(b)はプリンタ本体とカバーとロール紙とを示す縦断面図である。
【図１３】従来のプリンタ本体にカバーが組付けられ、プリンタ本体に対しカバーが開けられた状態を示す断面図である。
(a)は (b)のＤ−Ｄ断面図である。
(b)はプリンタ本体とカバーとを示す縦断面図である。
【図１４】ロール紙を示す斜視図である。
【符号の説明】
１        プリンタ
１０      ケース
１４      表側ケース
１６      内側ケース
１８      裏側ケース
７０      カッタ
７８，７８I   ばね部（弾性部）
８１      発行ボタン（操作ボタン）
８１ｂ    後面
８２      ＥＴＣボタン（操作ボタン）
８３      ブランクボタン（操作ボタン）
８４      ＦＥＥＤボタン（操作ボタン）
９０      スペーサ
９１ａ    前面
９２，９２I ，９２II     収容部
９５，９５I   突部（ストッパ部）
１００    スイッチ基板（基板）
１１０    タクトスイッチ（スイッチ）
１２０    イルミネーションランプ（照明）
２００    タクシーメータ
Ｒ１      ロール紙（用紙）
【図１】
0003919166.tif 000002
【図２】
0003919166.tif 000003
【図３】
0003919166.tif 000004
【図４】
0003919166.tif 000005
【図５】
0003919166.tif 000006
【図６】
0003919166.tif 000007
【図７】
0003919166.tif 000008
【図８】
0003919166.tif 000009
【図９】
0003919166.tif 000010
【図１０】
0003919166.tif 000011
【図１１】
0003919166.tif 000012
【図１２】
0003919166.tif 000013
【図１３】
0003919166.tif 000014
【図１４】
0003919166.tif 000015